(57)【要約】【課題】複数の表示パネルで構成される表示領域の継ぎ目を画像処理装置により視認されにくくする。または、継ぎ目が視認されにくい広い表示領域を有する表示システムを提供する。【解決手段】表示装置と画像処理装置を有する表示システムである。表示装置は、第１の表示パネルの表示面側に第２の表示パネルを重ねて有する。第２の表示パネルは、表示領域と隣接して可視光を透過する領域を有する。第２の表示パネルの可視光を透過する領域と、第１の表示パネルの表示領域とを重ねることで、表示装置は、２つの表示パネルの表示領域間の非表示領域を縮小した構成となる。画像処理装置は、画像データのうち、第１の表示パネルの表示領域の、可視光を透過する領域と重なる部分、又は重ならない部分の少なくとも一方に対応する階調を補正する機能を有する。【選択図】図１
2016110116.tif 000002
【特許請求の範囲】
【請求項１】
表示装置に画像信号を供給する画像処理装置であって、
演算部を有し、
前記演算部には、第１の画像信号及び補正情報が供給され、
前記演算部は、前記第１の画像信号を前記補正情報に基づいて補正することで、第２の画像信号を生成する機能を有し、
前記演算部は、前記第２の画像信号を前記表示装置に供給する機能を有し、
前記表示装置は、第１の表示パネル及び第２の表示パネルを有し、
前記第１の表示パネルは、第１の領域を有し、
前記第１の領域は、表示を行う機能を有し、
前記第２の表示パネルは、第２の領域及び第３の領域を有し、
前記第２の領域は、表示を行う機能を有し、
前記第３の領域は、前記第２の領域と隣接し、かつ、可視光を透過する機能を有し、
前記第１の領域は、表示を行う面側で前記第３の領域と重なる第１の部分を有し、
前記第２の画像信号は、前記第１の部分に対応する階調が補正された信号である、画像処理装置。
【請求項２】
表示装置に画像信号を供給する画像処理装置であって、
演算部を有し、
前記演算部には、第１の画像信号及び補正情報が供給され、
前記演算部は、前記第１の画像信号を前記補正情報に基づいて補正することで、第２の画像信号を生成する機能を有し、
前記演算部は、前記第２の画像信号を前記表示装置に供給する機能を有し、
前記表示装置は、第１の表示パネル及び第２の表示パネルを有し、
前記第１の表示パネルは、第１の領域を有し、
前記第１の領域は、表示を行う機能を有し、
前記第２の表示パネルは、第２の領域及び第３の領域を有し、
前記第２の領域は、表示を行う機能を有し、
前記第３の領域は、前記第２の領域と隣接し、かつ、可視光を透過する機能を有し、
前記第１の領域は、表示を行う面側で前記第３の領域と重なる第１の部分を有し、
前記第２の画像信号は、前記第１の部分を除く前記第１の領域及び前記第２の領域のうち少なくとも一部に対応する階調が補正された信号である、画像処理装置。
【請求項３】
請求項１又は２において、
記憶部を有し、
前記記憶部には、前記補正情報が供給され、
前記記憶部は、前記補正情報を前記演算部に供給する機能を有する、画像処理装置。
【請求項４】
請求項１乃至３のいずれか一項において、
前記第２の画像信号は、ガンマ補正が施された信号である、画像処理装置。
【請求項５】
表示装置及び画像処理装置を有し、
前記表示装置は、第１の表示パネル及び第２の表示パネルを有し、
前記第１の表示パネルは、第１の領域を有し、
前記第１の領域は、表示を行う機能を有し、
前記第２の表示パネルは、第２の領域及び第３の領域を有し、
前記第２の領域は、表示を行う機能を有し、
前記第３の領域は、前記第２の領域と隣接し、かつ、可視光を透過する機能を有し、
前記第１の領域は、表示を行う面側で前記第３の領域と重なる第１の部分を有し、
前記画像処理装置は、演算部を有し、
前記演算部には、第１の画像信号及び補正情報が供給され、
前記演算部は、前記第１の画像信号を前記補正情報に基づいて補正することで、第２の画像信号を生成する機能を有し、
前記演算部は、前記第２の画像信号を前記表示装置に供給する機能を有し、
前記第２の画像信号は、前記第１の部分に対応する階調が補正された信号である、表示システム。
【請求項６】
表示装置及び画像処理装置を有し、
前記表示装置は、第１の表示パネル及び第２の表示パネルを有し、
前記第１の表示パネルは、第１の領域を有し、
前記第１の領域は、表示を行う機能を有し、
前記第２の表示パネルは、第２の領域及び第３の領域を有し、
前記第２の領域は、表示を行う機能を有し、
前記第３の領域は、前記第２の領域と隣接し、かつ、可視光を透過する機能を有し、
前記第１の領域は、表示を行う面側で前記第３の領域と重なる第１の部分を有し、
前記画像処理装置は、演算部を有し、
前記演算部には、第１の画像信号及び補正情報が供給され、
前記演算部は、前記第１の画像信号を前記補正情報に基づいて補正することで、第２の画像信号を生成する機能を有し、
前記演算部は、前記第２の画像信号を前記表示装置に供給する機能を有し、
前記第２の画像信号は、前記第１の部分を除く前記第１の領域及び前記第２の領域のうち少なくとも一部に対応する階調が補正された信号である、表示システム。
【請求項７】
請求項５又は６において、
記憶部を有し、
前記記憶部には、前記補正情報が供給され、
前記記憶部は、前記補正情報を前記演算部に供給する機能を有する、表示システム。
【請求項８】
請求項５乃至７のいずれか一項において、
前記第２の画像信号は、ガンマ補正が施された信号である、表示システム。
【請求項９】
請求項５乃至８のいずれか一項において、
検出装置を有し、
前記検出装置は、前記表示装置の輝度情報を取得する機能と、前記輝度情報を前記画像処理装置に供給する機能と、を有する、表示システム。
【請求項１０】
請求項５乃至９のいずれか一項において、
前記表示装置は、透光層を有し、
前記透光層は、波長４５０ｎｍ以上７００ｎｍ以下の範囲の光の透過率の平均値が８０％以上であり、
前記透光層は、屈折率が空気よりも高く、
前記透光層は、前記第１の表示パネルと前記第２の表示パネルの間に位置し、
前記透光層は、前記第１の表示パネルの表示面側に位置し、かつ、前記第２の表示パネルの表示面と対向する面側に位置し、
前記第１の部分は、前記第１の領域が前記透光層を介して前記第３の領域と重なる部分を有する、表示システム。
【請求項１１】
請求項５乃至１０のいずれか一項において、
前記表示装置は、可撓性を有する、表示システム。
【請求項１２】
請求項５乃至１１のいずれか一項に記載の表示システムと、
アンテナ、バッテリ、筐体、スピーカ、マイク、操作スイッチ、又は操作ボタンと、を有する、電子機器。
【発明の詳細な説明】
【技術分野】
【０００１】
本発明の一態様は、画像処理装置、表示システム、及び電子機器に関する。
【０００２】
なお、本発明の一態様は、上記の技術分野に限定されない。本発明の一態様の技術分野としては、半導体装置、表示装置、発光装置、蓄電装置、記憶装置、電子機器、照明装置、入力装置（例えば、タッチセンサなど）、入出力装置（例えば、タッチパネルなど）、それらの駆動方法、又は、それらの製造方法を一例として挙げることができる。
【背景技術】
【０００３】
近年、表示装置の大型化が求められている。大型の表示装置の用途としては、例えば、家庭用のテレビジョン装置（テレビ又はテレビジョン受信機ともいう）、デジタルサイネージ（Ｄｉｇｉｔａｌ  Ｓｉｇｎａｇｅ：電子看板）、ＰＩＤ（Ｐｕｂｌｉｃ  Ｉｎｆｏｒｍａｔｉｏｎ  Ｄｉｓｐｌａｙ）等が挙げられる。表示装置の表示領域が広いほど、一度に提供できる情報量を増やすことができる。また、表示領域が広いほど、人の目につきやすく、例えば、広告の宣伝効果を高めることが期待される。
【０００４】
また、携帯機器用途においても、表示装置の大型化が求められている。表示領域を広くすることで一度に表示する情報量を増やし、一覧性の向上を図ることが検討されている。
【０００５】
エレクトロルミネッセンス（Ｅｌｅｃｔｒｏｌｕｍｉｎｅｓｃｅｎｃｅ、以下ＥＬとも記す）現象を利用した発光素子（ＥＬ素子とも記す）は、薄型軽量化が容易である、入力信号に対し高速に応答可能である、直流低電圧電源を用いて駆動可能である等の特徴を有し、表示装置への応用が検討されている。例えば、有機ＥＬ素子を用いた表示装置の一例が、特許文献１に開示されている。
【０００６】
また、特許文献２には、フィルム基板上に、スイッチング素子であるトランジスタ及び有機ＥＬ素子を備えたフレキシブルなアクティブマトリクス型の発光装置が開示されている。
【先行技術文献】
【特許文献】
【０００７】
【特許文献１】特開２００２−３２４６７３号公報
【特許文献２】特開２００３−１７４１５３号公報
【発明の概要】
【発明が解決しようとする課題】
【０００８】
本発明の一態様は、表示装置の大型化を目的の一とする。または、本発明の一態様は、表示装置の表示ムラもしくは輝度ムラの抑制を目的の一とする。または、本発明の一態様は、表示装置の薄型化もしくは軽量化を目的の一とする。または、本発明の一態様は、曲面に沿って表示することが可能な表示装置を提供することを目的の一とする。または、本発明の一態様は、一覧性に優れた表示装置を提供することを目的の一とする。または、本発明の一態様は、継ぎ目が視認されにくい広い表示領域を有する表示装置を提供することを目的の一とする。
【０００９】
または、本発明の一態様は、新規な画像処理装置、表示システム、又は電子機器などを提供することを目的の一とする。または、本発明の一態様は、複数の表示パネルで構成される表示領域の継ぎ目を視認されにくくすることができる画像処理装置を提供することを目的の一とする。
【００１０】
なお、これらの課題の記載は、他の課題の存在を妨げるものではない。なお、本発明の一態様は、これらの課題の全てを解決する必要はないものとする。なお、明細書、図面、請求項の記載から、これら以外の課題を抽出することが可能である。
【課題を解決するための手段】
【００１１】
本発明の一態様は、表示装置に画像信号を供給する画像処理装置であって、演算部を有し、演算部には、第１の画像信号及び補正情報が供給され、演算部は、第１の画像信号を補正情報に基づいて補正することで、第２の画像信号を生成する機能を有し、演算部は、第２の画像信号を表示装置に供給する機能を有し、表示装置は、第１の表示パネル及び第２の表示パネルを有し、第１の表示パネルは、第１の領域を有し、第１の領域は、表示を行う機能を有し、第２の表示パネルは、第２の領域及び第３の領域を有し、第２の領域は、表示を行う機能を有し、第３の領域は、第２の領域と隣接し、かつ、可視光を透過する機能を有し、第１の領域は、表示を行う面側で第３の領域と重なる第１の部分を有し、第２の画像信号は、第１の部分に対応する階調が補正された信号である、画像処理装置である。
【００１２】
または、本発明の一態様は、表示装置に画像信号を供給する画像処理装置であって、演算部を有し、演算部には、第１の画像信号及び補正情報が供給され、演算部は、第１の画像信号を補正情報に基づいて補正することで、第２の画像信号を生成する機能を有し、演算部は、第２の画像信号を表示装置に供給する機能を有し、表示装置は、第１の表示パネル及び第２の表示パネルを有し、第１の表示パネルは、第１の領域を有し、第１の領域は、表示を行う機能を有し、第２の表示パネルは、第２の領域及び第３の領域を有し、第２の領域は、表示を行う機能を有し、第３の領域は、第２の領域と隣接し、かつ、可視光を透過する機能を有し、第１の領域は、表示を行う面側で第３の領域と重なる第１の部分を有し、第２の画像信号は、第１の部分を除く第１の領域及び第２の領域のうち少なくとも一部に対応する階調が補正された信号である、画像処理装置である。
【００１３】
または、本発明の一態様は、表示装置及び画像処理装置を有し、表示装置は、第１の表示パネル及び第２の表示パネルを有し、第１の表示パネルは、第１の領域を有し、第１の領域は、表示を行う機能を有し、第２の表示パネルは、第２の領域及び第３の領域を有し、第２の領域は、表示を行う機能を有し、第３の領域は、第２の領域と隣接し、かつ、可視光を透過する機能を有し、第１の領域は、表示を行う面側で第３の領域と重なる第１の部分を有し、画像処理装置は、演算部を有し、演算部には、第１の画像信号及び補正情報が供給され、演算部は、第１の画像信号を補正情報に基づいて補正することで、第２の画像信号を生成する機能を有し、演算部は、第２の画像信号を表示装置に供給する機能を有し、第２の画像信号は、第１の部分に対応する階調が補正された信号である、表示システムである。
【００１４】
または、本発明の一態様は、表示装置及び画像処理装置を有し、表示装置は、第１の表示パネル及び第２の表示パネルを有し、第１の表示パネルは、第１の領域を有し、第１の領域は、表示を行う機能を有し、第２の表示パネルは、第２の領域及び第３の領域を有し、第２の領域は、表示を行う機能を有し、第３の領域は、第２の領域と隣接し、かつ、可視光を透過する機能を有し、第１の領域は、表示を行う面側で第３の領域と重なる第１の部分を有し、画像処理装置は、演算部を有し、演算部には、第１の画像信号及び補正情報が供給され、演算部は、第１の画像信号を補正情報に基づいて補正することで、第２の画像信号を生成する機能を有し、演算部は、第２の画像信号を表示装置に供給する機能を有し、第２の画像信号は、第１の部分を除く第１の領域及び第２の領域のうち少なくとも一部に対応する階調が補正された信号である、表示システムである。
【００１５】
上記各構成の表示システムは、検出装置を有し、検出装置は、表示装置の輝度情報を取得する機能と、輝度情報を画像処理装置に供給する機能と、を有していてもよい。
【００１６】
上記各構成の表示システムが有する表示装置は、透光層を有していてもよい。透光層は、波長４５０ｎｍ以上７００ｎｍ以下の範囲の光の透過率の平均値が８０％以上であることが好ましく、かつ、屈折率が空気よりも高く、第１の表示パネルと第２の表示パネルの間に位置する。さらに、透光層は、第１の表示パネルの表示面側に位置し、かつ、第２の表示パネルの表示面と対向する面側に位置する。第１の部分は、第１の領域が透光層を介して第３の領域と重なる部分を有する。
【００１７】
上記各構成の表示システムが有する表示装置は、可撓性を有していてもよい。例えば、表示装置が有する表示パネルの少なくとも一つが可撓性を有していればよく、すべてが可撓性を有していてもよい。
【００１８】
上記各構成において、画像処理装置は、記憶部を有し、記憶部には、補正情報が供給され、記憶部は、補正情報を演算部に供給する機能を有することが好ましい。
【００１９】
上記各構成において、第２の画像信号は、ガンマ補正が施された信号であってもよい。
【００２０】
また、上記のいずれかの構成の表示システムを用いた電子機器又は照明装置も本発明の一態様である。例えば、本発明の一態様は、上記のいずれかの構成の表示システムと、アンテナ、バッテリ、筐体、スピーカ、マイク、操作スイッチ、又は操作ボタンと、を有する、電子機器である。
【発明の効果】
【００２１】
本発明の一態様により、表示装置の大型化が可能となる。または、本発明の一態様により、表示装置の表示ムラもしくは輝度ムラの抑制が可能となる。または、本発明の一態様により、表示装置の薄型化もしくは軽量化が可能となる。または、本発明の一態様により、曲面に沿って表示することが可能な表示装置を提供することができる。または、本発明の一態様により、一覧性に優れた表示装置を提供することができる。または、本発明の一態様により、継ぎ目が視認されにくい広い表示領域を有する表示装置を提供することができる。
【００２２】
または、本発明の一態様により、新規な画像処理装置、表示システム、又は電子機器などを提供することができる。または、本発明の一態様により、複数の表示パネルで構成される表示領域の継ぎ目を視認されにくくすることができる画像処理装置を提供することができる。
【００２３】
なお、これらの効果の記載は、他の効果の存在を妨げるものではない。なお、本発明の一態様は、必ずしも、これらの効果の全てを有する必要はない。なお、明細書、図面、請求項の記載から、これら以外の効果を抽出することが可能である。
【図面の簡単な説明】
【００２４】
【図１】表示システムの一例及び画像処理装置の一例を示す図。
【図２】表示システムの一例を示す図。
【図３】表示システムの一例を示す図。
【図４】表示システムの一例を示す図。
【図５】入力値と出力値の関係を示す図。
【図６】表示パネルの一例及び表示装置の一例を示す図。
【図７】パターン情報の一例を示す図。
【図８】表示装置の一例を示す図。
【図９】表示装置の一例を示す図。
【図１０】表示パネルの一例を示す図。
【図１１】表示装置の一例を示す図。
【図１２】表示装置の一例を示す図。
【図１３】表示装置の一例を示す図。
【図１４】表示パネルの一例を示す図。
【図１５】表示パネルの一例を示す図。
【図１６】表示装置の一例を示す図。
【図１７】発光パネルの一例を示す図。
【図１８】表示装置の一例を示す図。
【図１９】発光パネルの一例を示す図。
【図２０】発光パネルの一例を示す図。
【図２１】タッチパネルの一例を示す図。
【図２２】タッチパネルの一例を示す図。
【図２３】タッチパネルの一例を示す図。
【図２４】タッチパネルの一例を示す図。
【図２５】タッチパネルの一例を示す図。
【図２６】タッチパネルの一例を示す図。
【図２７】電子機器及び照明装置の一例を示す図。
【図２８】電子機器の一例を示す図。
【発明を実施するための形態】
【００２５】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００２６】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００２７】
また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００２８】
なお、「膜」という言葉と、「層」という言葉とは、場合によっては、又は、状況に応じて、互いに入れ替えることが可能である。例えば、「導電層」という用語を、「導電膜」という用語に変更することが可能な場合がある。または、例えば、「絶縁膜」という用語を、「絶縁層」という用語に変更することが可能な場合がある。
【００２９】
なお、本明細書中において、ＸとＹが電気的に接続されている場合の一例としては、ＸとＹが他の素子を介さずに直接接続されている場合、及びＸとＹの電気的な接続を可能とする素子（例えば、スイッチ、トランジスタ、容量素子、インダクタ、抵抗素子、ダイオード、表示素子、発光素子、負荷など）が、ＸとＹの間に１つ以上接続されている場合等が挙げられる。なお、スイッチは、オンオフが制御される機能を有している。つまり、スイッチは、導通状態（オン状態）又は非導通状態（オフ状態）になり、電流を流すか流さないかを制御する機能を有している。または、スイッチは、電流を流す経路を選択して切り替える機能を有している。
【００３０】
（実施の形態１）
本実施の形態では、本発明の一態様の画像処理装置と、本発明の一態様の表示システムと、について図面を用いて説明する。
【００３１】
複数の表示パネルを一以上の方向（例えば、一列又はマトリクス状等）に並べることで、広い表示領域を有する表示装置を作製することができる。
【００３２】
複数の表示パネルを用いて大型の表示装置を作製する場合、１つの表示パネルの大きさは大型である必要がない。したがって、該表示パネルを作製するための製造装置を大型化しなくてもよく、省スペース化が可能である。また、中小型の表示パネルの製造装置を用いることができ、表示装置の大型化のために新規な製造装置を利用しなくてもよいため、製造コストを抑えることができる。また、表示パネルの大型化に伴う歩留まりの低下を抑制できる。
【００３３】
表示パネルの大きさが同じである場合、１つの表示パネルを有する表示装置に比べ、複数の表示パネルを有する表示装置の方が、表示領域が広く、一度に表示できる情報量が多い等の効果を有する。
【００３４】
しかし、各表示パネルは表示領域を囲むように非表示領域を有する。したがって、例えば、複数の表示パネルの出力画像を合わせて一つの画像を表示する場合、当該一つの画像は、表示装置の使用者にとって分離したように視認されてしまう。
【００３５】
各表示パネルの非表示領域を狭くする（狭額縁な表示パネルを用いる）ことで、各表示パネルの表示が分離して見えることを抑制できるが、表示パネルの非表示領域を完全になくすことは困難である。
【００３６】
また、表示パネルの非表示領域の面積が狭いと、表示パネルの端部と表示パネル内の素子との距離が短くなり、表示パネルの外部から侵入する不純物によって、素子が劣化しやすくなる場合がある。
【００３７】
そこで、本発明の一態様では、複数の表示パネルの一部が重なるように配置する。重ねた２つの表示パネルのうち、少なくとも表示面側（上側）に位置する表示パネルは、可視光を透過する領域を表示領域と隣接して有する。本発明の一態様では、下側に配置される表示パネルの表示領域と、上側に配置される表示パネルの可視光を透過する領域とが重なる。したがって、重ねた２つの表示パネルの表示領域の間の非表示領域を縮小すること、さらには無くすことができる。これにより、使用者から表示パネルの継ぎ目が認識されにくい、大型の表示装置を実現することができる。
【００３８】
上側に位置する表示パネルの非表示領域の少なくとも一部は、可視光を透過する領域であり、下側に位置する表示パネルの表示領域と重ねることができる。また、下側に位置する表示パネルの非表示領域の少なくとも一部は、上側に位置する表示パネルの表示領域、又は可視光を遮る領域と重ねることができる。これらの部分については、表示装置の狭額縁化（表示領域以外の面積の縮小化）に影響しないため、面積の縮小化をしなくてもよい。
【００３９】
表示パネルの非表示領域が広いと、表示パネルの端部と表示パネル内の素子との距離が長くなり、表示パネルの外部から侵入する不純物によって、素子が劣化することを抑制できる。例えば、表示素子として有機ＥＬ素子を用いる場合は、表示パネルの端部と有機ＥＬ素子との距離を長くするほど、表示パネルの外部から水分又は酸素等の不純物が有機ＥＬ素子に侵入しにくくなる（又は到達しにくくなる）。本発明の一態様の表示装置では、表示パネルの非表示領域の面積を十分に確保できるため、有機ＥＬ素子等を用いた表示パネルを適用しても、信頼性が高い大型の表示装置を実現できる。
【００４０】
しかし、可視光を透過する領域は、可視光（例えば４５０ｎｍ以上７００ｎｍ以下の波長の光）を、少なからず反射又は吸収する。したがって、下側に配置される表示パネルの表示は、可視光を透過する領域を介して視認される部分と、該領域を介さずに視認される部分とで、輝度（明るさ）に差が生じてしまう。
【００４１】
そこで、本発明の一態様では、画像データのうち、表示領域の、可視光を透過する領域を介して視認される部分、又は該領域を介さずに視認される部分の少なくとも一方に対応する座標の階調を補正する画像処理を行う。これにより、可視光を透過する領域を介して視認される部分と、該領域を介さずに視認される部分とで、輝度に差が生じることを抑制できる。
【００４２】
図１（Ａ）に、本発明の一態様の画像処理装置を示す。
【００４３】
画像処理装置１１には、第１の画像信号Ｓ０が供給される。画像処理装置１１は、第２の画像信号Ｓ１を表示装置１２に供給する。
【００４４】
第１の画像信号Ｓ０及び第２の画像信号Ｓ１は、画像データ（座標情報及び階調情報など）や同期信号（スタートパルス信号及びクロック信号など）をそれぞれ含む。
【００４５】
また、図１（Ｂ）に、本発明の一態様の表示システムを示す。
【００４６】
表示システム１０は、画像処理装置１１及び表示装置１２を有する。
【００４７】
表示システム１０の外部から、画像処理装置１１に、第１の画像信号Ｓ０が供給される。画像処理装置１１は、第２の画像信号Ｓ１を表示装置１２に供給する。
【００４８】
図１（Ｃ）に、画像処理装置１１の構成例を示す。
【００４９】
画像処理装置１１は、演算部５１及び記憶部５２を有する。
【００５０】
演算部５１には、第１の画像信号Ｓ０及び補正情報が供給される。演算部５１では、第１の画像信号Ｓ０を補正情報に基づいて補正することで、第２の画像信号Ｓ１を生成する。演算部５１は、第２の画像信号Ｓ１を表示装置等に供給することができる。なお、本明細書中において、補正情報は、電気的なデータである。
【００５１】
演算部５１は、例えば、ＣＰＵ（Ｃｅｎｔｒａｌ  Ｐｒｏｃｅｓｓｉｎｇ  Ｕｎｉｔ）、画像処理用演算回路等を含む。
【００５２】
記憶部５２には、補正情報が供給される。記憶部５２は、演算部５１に補正情報を供給する。
【００５３】
画像処理装置１１に供給される補正情報としては、例えば、カメラ、輝度計、各種センサ（照度センサ、色温度センサなど）、表示装置の光学検査システム、又は計算等を用いて事前に取得した情報が挙げられる。また、表示パネルの表示領域に重なる、可視光を透過する部分の光の透過率（材料自体の光の透過率（内部透過率）もしくは表面反射及び裏面反射の影響を含めた光の透過率（外部透過率）など）、光の反射率、又は光の吸収率等を測定した結果を補正情報として用いてもよい。また、表示装置が有する表示パネルごとの輝度、階調、明度、又は色度等の情報を補正情報として用いてもよい。なお、カメラ等で撮影した画像は、歪みが生じる場合があるため、歪みを補正した画像、又は、該歪みを補正した画像を解析した結果を補正情報として用いることが好ましい。なお、画像処理装置１１が、供給された画像の歪みを補正する機能、又は供給された画像を解析して補正情報を生成する機能を有していてもよい。
【００５４】
記憶部５２は、例えば、演算部５１が演算処理を実行するコンピュータプログラム、ルックアップテーブル、演算部５１が算出した補正情報、又は画像処理装置１１に供給された補正情報等を記憶する記憶回路を有する。
【００５５】
図１（Ｃ）では、補正情報が画像処理装置１１の外部から供給される例を示したが、本発明の一態様は、これに限定されない。補正情報としては、表示システム１０の外部、もしくは画像処理装置１１の外部から供給される情報、及び、表示システム１０内、もしくは画像処理装置１１内で生成される情報等が挙げられる。
【００５６】
例えば、画像処理装置１１が、補正情報を生成してもよい。また、演算部５１が補正情報を生成し、演算部５１から記憶部５２に補正情報を供給することができてもよい。
【００５７】
図１（Ｄ）に、本発明の一態様の表示システムを示す。
【００５８】
表示システム１０は、画像処理装置１１、表示装置１２、及び検出装置１４を有する。
【００５９】
検出装置１４は、例えば、表示装置１２の輝度、階調、明度、又は色度等の情報を取得することができる。または、検出装置１４は、表示装置１２又は表示システム１０の周囲の環境の情報（照度又は色温度など）を取得することができる。検出装置１４は、例えば、カメラ、ビデオカメラ、輝度計、各種センサ（照度センサ、色温度センサなど）、又は表示装置の光学検査システムを有していてもよい。検出装置１４は、これらの情報（輝度情報等）を電気的なデータで画像処理装置１１に供給することができる。
【００６０】
表示システム１０は、複数種の検出装置を有していてもよく、複数種の情報を取得し、これらの情報から補正情報を生成して、画像処理に用いてもよい。
【００６１】
例えば、表示装置１２が画像を表示している際に、検出装置１４が表示装置１２の輝度情報を取得する。検出装置１４は、輝度情報を画像処理装置１１に供給する。例えば、表示装置１２が全面に白色表示をしている際に、検出装置１４が表示装置１２の輝度情報を取得してもよい。または、表示装置１２が全面に赤色表示、青色表示、又は緑色表示をしているそれぞれの場合で、検出装置１４が表示装置１２の輝度情報を取得するなど、検出装置１４は、複数の輝度情報を取得してもよい。
【００６２】
輝度情報は、検出装置１４から、画像処理装置１１が有する記憶部５２に供給された後、記憶部５２から演算部５１に供給されてもよい。または、輝度情報は、検出装置１４から直接、演算部５１に供給されてもよい。
【００６３】
演算部５１は、供給された輝度情報を用いて演算を行い、補正情報を生成する。演算部５１は、生成した補正情報を記憶部５２に供給する。
【００６４】
記憶部５２に補正情報が供給された後、表示装置１２は、該補正情報により補正された画像を表示することができる。具体的には、演算部５１に、外部から第１の画像信号Ｓ０が供給され、かつ、記憶部５２から該補正情報が供給される。演算部５１は、第１の画像信号Ｓ０を、該補正情報を用いて補正することで、第２の画像信号Ｓ１を生成する。演算部５１は、第２の画像信号Ｓ１を表示装置１２に供給する。これにより、表示装置１２は、補正された画像を表示することができる。
【００６５】
図２〜図４に、表示システム１０の構成例をそれぞれ示す。
【００６６】
図２〜図４に示す表示システム１０は、それぞれ、デコーダ回路２１、画像処理装置１１、信号分割部２２、コントローラ２３ａ、コントローラ２３ｂ、及び表示装置１２を有する。
【００６７】
表示装置１２は、一以上の方向に並べて配置された複数の表示パネルを有する。図２では、２つの表示パネル（表示パネル３０ａ及び表示パネル３０ｂ）を有する例を示す。なお、表示装置１２の詳細については、後述する内容も参照することができる。
【００６８】
なお、本実施の形態では、各々の表示パネル同士、各々の表示パネルに含まれる構成要素同士、又は各々の表示パネルに関連する構成要素同士を区別するために、符号の後にアルファベットを付記して説明する。特に説明のない限り、最も下側（表示面側とは反対側）に配置される表示パネル又は構成要素に対して「ａ」を付記し、その上側に配置される一以上の表示パネル及びその構成要素に対しては、下側から順に「ｂ」、「ｃ」、とアルファベット順に付記することとする。
【００６９】
表示パネル３０ａは、表示領域１０１ａ及び駆動回路３１ａを有する。表示パネル３０ａは、可視光を透過する領域１１０ａを有していてもよい。
【００７０】
表示パネル３０ｂは、表示領域１０１ｂ、駆動回路３１ｂ、及び可視光を透過する領域１１０ｂを有する。
【００７１】
表示パネル３０ａの表示領域１０１ａは、表示パネル３０ｂの可視光を透過する領域１１０ｂと重なる部分を有する。表示領域１０１ａは、可視光を透過する領域１１０ｂと重なる部分と、重ならない部分とで、視認される輝度に差が生じてしまう場合がある。そこで、画像処理装置１１により、画像データのうち、可視光を透過する領域１１０ｂと重なる部分、又は、重ならない部分の少なくとも一方に対応する座標の階調を補正する。これにより、表示領域１０１ａ内の輝度ムラを低減することができる。
【００７２】
例えば、表示領域１０１ａと可視光を透過する領域１１０ｂとを重ねた状態での輝度と、重ねない状態での輝度を、補正情報として、事前に取得する、又は検出装置を用いて測定することで、該補正情報をもとに、画像データの階調を補正することができる。
【００７３】
なお、画像データのうち、表示領域１０１ａの可視光を透過する領域１１０ｂと重ならない部分に対応する座標の階調を補正する場合は、表示領域１０１ｂに対応する座標の階調も補正することが好ましい。これにより、表示装置１２全体の輝度ムラを低減することができる。
【００７４】
デコーダ回路２１には、圧縮又は符号化された画像信号Ｓ１０が供給される。デコーダ回路２１は、画像信号Ｓ１０を変換、解凍、又は復元（復号）することで、画像信号Ｓ１１を生成する。
【００７５】
なお、表示システム１０に供給される画像信号Ｓ１０が、圧縮又は符号化された信号でなく、画像処理装置１１で処理可能な信号である場合には、デコーダ回路２１を設けずに、画像信号Ｓ１０を直接、画像処理装置１１等に供給する構成としてもよい。
【００７６】
図２では、デコーダ回路２１は、画像信号Ｓ１１を画像処理装置１１に供給する。
【００７７】
画像処理装置１１は、供給された画像信号を、補正情報に基づいて補正することで、別の画像信号を生成する。
【００７８】
図２では、画像処理装置１１に、画像信号Ｓ１１が供給される。画像処理装置１１は、画像信号Ｓ１１を補正情報に基づいて補正することで、画像信号Ｓ１２を生成する。そして、画像処理装置１１は、画像信号Ｓ１２を信号分割部２２に供給する。
【００７９】
信号分割部２２は、供給された画像信号を分割する。信号分割部２２では、供給された画像信号を、表示装置１２が有する表示パネルの数に分割する。例えば、図２では、表示装置１２が２つの表示パネルで構成されるため、供給された画像信号Ｓ１２を画像信号Ｓ１３ａと画像信号Ｓ１３ｂの２つに分割する。
【００８０】
コントローラ２３ａは、供給された画像信号Ｓ１３ａに基づいて、駆動回路３１ａに画像信号Ｓ１４ａを供給する。
【００８１】
同様に、コントローラ２３ｂは、供給された画像信号Ｓ１３ｂに基づいて、駆動回路３１ｂに画像信号Ｓ１４ｂを供給する。
【００８２】
コントローラ２３ａ及びコントローラ２３ｂは、例えば信号分割部２２が出力する信号がデジタル信号であった場合に、これを表示パネル３０ａ又は表示パネル３０ｂを駆動するためのアナログ信号に変換する機能を有することが好ましい。コントローラ２３ａ及びコントローラ２３ｂとしての機能を駆動回路３１ａ及び駆動回路３１ｂ、又は信号分割部２２が有している場合には、コントローラ２３ａ及びコントローラ２３ｂを設けない構成とすることができる。
【００８３】
駆動回路３１ａは、表示領域１０１ａ内の画素を駆動することにより、表示領域１０１ａに画像を表示させることができる。同様に、駆動回路３１ｂは、表示領域１０１ｂ内の画素を駆動することにより、表示領域１０１ｂに画像を表示させることができる。
【００８４】
表示パネルは、ゲート駆動回路として機能する駆動回路を有していてもよい。例えば、駆動回路３１ａ及び駆動回路３１ｂは、それぞれ、ゲート駆動回路として機能することが好ましい。または、表示パネルにゲート駆動回路を設けず、表示パネルと、ゲート駆動回路として機能する集積回路（ＩＣ）と、を有するモジュールを用いて、表示装置を作製してもよい。ＩＣは、ＣＯＧ（Ｃｈｉｐ  Ｏｎ  Ｇｌａｓｓ）方式又はＣＯＦ（Ｃｈｉｐ  Ｏｎ  Ｆｉｌｍ）方式により基板に実装することができる。または、ＩＣが実装されたフレキシブルプリント回路基板（Ｆｌｅｘｉｂｌｅ  ｐｒｉｎｔｅｄ  ｃｉｒｃｕｉｔ、以下ＦＰＣと記す）、ＴＡＢ（Ｔａｐｅ  Ａｕｔｏｍａｔｅｄ  Ｂｏｎｄｉｎｇ）、又はＴＣＰ（Ｔａｐｅ  Ｃａｒｒｉｅｒ  Ｐａｃｋａｇｅ）等をモジュールに用いてもよい。
【００８５】
同様に、表示パネルは、ソース駆動回路として機能する駆動回路を有していてもよい。または、表示パネルにソース駆動回路を設けず、表示パネルと、ソース駆動回路として機能するＩＣと、を有するモジュールを用いて、表示装置を作製してもよい。
【００８６】
または、図３及び図４に示すように、デコーダ回路２１は、画像信号Ｓ１１を信号分割部２２に供給してもよい。
【００８７】
図３に示すように、信号分割部２２が分割することで生成された複数の画像信号のうち、少なくとも一つが画像処理装置１１に供給される。
【００８８】
図３では、信号分割部２２から、画像処理装置１１に、画像信号Ｓ１２ａが供給される。画像処理装置１１は、画像信号Ｓ１２ａを補正情報に基づいて補正し、画像信号Ｓ１３ａを生成する。画像処理装置１１は、画像信号Ｓ１３ａをコントローラ２３ａに供給する。
【００８９】
また、信号分割部２２から、コントローラ２３ｂに、画像信号Ｓ１２ｂが供給される。
【００９０】
また、図４に示すように、信号分割部２２が分割することで生成された複数の画像信号の全てが画像処理装置１１に供給されてもよい。
【００９１】
図４では、信号分割部２２から、画像処理装置１１に、画像信号Ｓ１２ａ及び画像信号Ｓ１２ｂが供給される。画像処理装置１１は、画像信号Ｓ１２ａ及び画像信号Ｓ１２ｂを補正情報に基づいて補正し、画像信号Ｓ１３ａ及び画像信号Ｓ１３ｂを生成する。画像処理装置１１は、画像信号Ｓ１３ａをコントローラ２３ａに供給し、画像信号Ｓ１３ｂをコントローラ２３ｂに供給する。
【００９２】
次に、画像処理装置１１で行われる補正の一例について、図５（Ａ）〜（Ｆ）を用いて説明する。
【００９３】
図５（Ａ）〜（Ｆ）では、表示装置１２に入力される画像信号に含まれる画像データの輝度の値である入力値ｉｎｐｕｔをｘ（０≦ｘ≦１）とし、表示装置１２から出力される輝度の値である出力値ｏｕｔｐｕｔをｙ（０≦ｙ≦１）とする。なお、出力値ｙが大きいほど、画面が明るい（輝度が高い）といえる。入力値ｘ及び出力値ｙは、それぞれ、階調値に置き換えることもでき、例えば、２５６階調の場合、入力値をｘ（０≦ｘ≦２５５）、出力値をｙ（０≦ｙ≦２５５）とすることもできる。なお、入力値ｘが輝度の値である場合、その値は既にガンマ補正等の補正が施された値であってもよい（つまり、ｘ＝ｘ０γ０と表せる）。
【００９４】
表示パネル３０ａの、可視光を透過する領域１１０ｂと重ならない部分の表示領域１０１ａにおいて、入力値ｘに対する出力値ｙの関係（入出力特性ともいう）が、ｙ＝ｘで表されるとする。一方、表示パネル３０ａの、可視光を透過する領域１１０ｂと重なる部分の表示領域１０１ａにおける入出力特性は、ｙ＝ａ０ｘ（０＜ａ０＜１）となる場合を考える。すなわち、可視光を透過する領域１１０ｂと重ならない部分の表示領域１０１ａに比べて、可視光を透過する領域１１０ｂと重なる部分の表示領域１０１ａは輝度が低くなっている。このとき、表示パネル３０ａ内に、輝度ムラが生じることになる。なお、ａ０は、可視光を透過する領域１１０ｂの光学特性に依存した値である。
【００９５】
そこで、本発明の一態様では、表示パネル３０ａ内に輝度ムラが生じないように、可視光を透過する領域１１０ｂと重なる部分と重ならない部分とで、入出力特性の関係が等しくなるように、又はこれらの差が小さくなるように、それぞれの位置に対応する輝度（又は階調）を補正する。
【００９６】
例えば、表示領域１０１ａの可視光を透過する領域１１０ｂと重ならない部分の入出力特性を、図５（Ａ）に示すように、ｙ＝ａｘ（０＜ａ＜１）となるように補正する。具体的には、画像処理装置１１が、第１の画像信号Ｓ０に含まれる階調情報に対して、このような補正式に基づいて算出された階調情報を含む第２の画像信号Ｓ１を生成し、表示装置１２に出力する。このような補正を行うことで、表示装置１２内の輝度ムラを抑制することができる。なお、ａは、表示装置１２の輝度情報、可視光を透過する領域１１０ｂの光の透過率、光の反射率、及び光の吸収率等のうち、少なくとも一つを用いて算出することができる。
【００９７】
なお、１画素を構成する副画素（例えば、赤（Ｒ）画素、緑（Ｇ）画素、青（Ｂ）画素など）の全てに同じ度合いの補正（同じａの値を用いた補正）を施してもよいし、副画素ごとに違う度合いの補正（例えばａＲ、ａＧ、ａＢを用いた補正など）を施してもよい。例えば、赤色表示、青色表示、又は緑色表示をしているそれぞれの場合で、検出装置１４により、表示装置１２の輝度情報を取得したときは、これらの輝度のそれぞれの平均値を算出し、各副画素からの輝度が、該平均値になるように、ａＲ、ａＧ、ａＢをそれぞれ決定してもよい。
【００９８】
図２及び図４に示すように、表示パネル３０ａ及び表示パネル３０ｂの双方に補正された画像信号を供給する場合は、例えば、表示領域１０１ａの可視光を透過する領域１１０ｂと重ならない部分及び表示領域１０１ｂのうち少なくとも一方に対応する座標の輝度を補正することができる。
【００９９】
例えば、表示領域１０１ａの可視光を透過する領域１１０ｂと重ならない部分に加えて、表示領域１０１ｂの入出力特性が、図５（Ａ）に示すように、ｙ＝ａｘ（０＜ａ＜１）となるように補正することで、表示装置１２内の輝度ムラを抑制することができる。
【０１００】
または、図３に示すように、表示パネル３０ａにのみ補正された画像信号を供給する場合は、例えば、画像データのうち、表示領域１０１ａの可視光を透過する領域１１０ｂと重なる部分に対応する座標の輝度を補正することができる。
【０１０１】
例えば、図５（Ｂ）に示すように、表示領域１０１ａの可視光を透過する領域１１０ｂと重なる部分における入出力特性が、ｙ＝ｘ／ａ（０＜ａ＜１）となるように補正することで、表示装置１２内の輝度ムラを抑制することができる。
【０１０２】
なお、表示装置では、入力値ｘと出力値ｙは、必ずしも比例しない。一般に、表示装置の入出力特性は、図５（Ｃ）に示すように、ｙ＝ｘγという式で近似できることが知られている。
【０１０３】
このような場合には、例えば図５（Ｄ）に示すように、表示領域１０１ａの可視光を透過する領域１１０ｂと重ならない部分と、表示領域１０１ｂの入出力特性を、ｙ＝ａｘγ（０＜ａ＜１）となるように補正することで、表示装置１２内の輝度ムラを抑制することができる。
【０１０４】
または、本発明の一態様では、ａの値に基づいた補正に加えて、ガンマ補正を、画像信号に施してもよい。
【０１０５】
具体的には、図５（Ｅ）に示すように、表示領域１０１ａの可視光を透過する領域１１０ｂと重なる部分の入出力特性が、ｙ＝（ｘ／ａ）（１／γ）（０＜ａ＜１）となるように補正する。さらに、図５（Ｆ）に示すように、表示領域１０１ａの可視光を透過する領域１１０ｂと重ならない部分と、表示領域１０１ｂの入出力特性が、ｙ＝ｘ（１／γ）となるように補正する。これにより、表示装置１２内の輝度ムラを抑制することができ、かつ、表示システム１０に供給された画像信号に忠実な画像を表示することができる。
【０１０６】
また、画像処理装置１１は、補正情報として、入出力特性の補正式と、表示パネルの座標情報と、各座標に対応した、補正するか否かの情報と、を含むパターン情報を有していてもよい。また、パターン情報は、入出力特性の補正式を複数有していてもよく、その場合、パターン情報は、各座標に対応した、補正するか否かの情報と、補正する座標についてはどの補正式を用いるかの情報と、を有することが好ましい。図６及び図７を用いて具体例を示す。
【０１０７】
図６（Ａ）に示す表示パネルは、表示領域１０１、可視光を遮る領域１２０、及び可視光を透過する領域１１０を有する。図６（Ａ）に示す表示パネルを６枚重ねた表示装置を図６（Ｂ）に示す。
【０１０８】
図６（Ｂ）において最も下側に位置する表示パネル（左上の表示パネル）では、表示領域１０１ａが、他の表示パネルの可視光を透過する領域１１０が１枚重なる領域１０５ａと、３枚重なる領域１０５ｃと、を有する。
【０１０９】
表示領域１０１ｂは、他の表示パネルの可視光を透過する領域１１０が１枚重なる領域１０５ａと、２枚重なる領域１０５ｂと、３枚重なる領域１０５ｃと、を有する。
【０１１０】
表示領域１０１ｃは、他の表示パネルの可視光を透過する領域１１０が１枚重なる領域１０５ａと、２枚重なる領域１０５ｂと、を有する。
【０１１１】
表示領域１０１ｄと表示領域１０１ｅは、それぞれ、他の表示パネルの可視光を透過する領域１１０が１枚重なる領域１０５ａを有する。
【０１１２】
表示領域１０１ｆは、可視光を透過する領域１１０が重なる部分を有さない。
【０１１３】
このような表示装置に対応するパターン情報の一例を、図７（Ａ）〜（Ｄ）に示す。ここでは、表示領域１０１の可視光を透過する領域１１０と重なる部分の階調を補正する例を示す。また、ここでは、簡易上、上述の補正式におけるａを、他の表示パネルの可視光を透過する領域１１０が１枚重なる場合の値ａ１のみを用いて決定し補正する例を示すが、さらに２枚以上重なる場合のそれぞれの値（２枚のときの値ａ２、３枚のときの値ａ３等）を計測又は算出し、それらを用いて補正してもよい。
【０１１４】
図７（Ａ）に、表示領域１０１ａに対応するパターン情報を示す。例えば、図７（Ａ）に示す領域９２ａに含まれる座標では、補正は行わず、領域９２ｂに含まれる座標では、ａ＝ａ１を用いて補正を行い、領域９２ｄに含まれる座標では、ａ＝（ａ１）３を用いて補正を行うことができる。
【０１１５】
図７（Ｂ）に、表示領域１０１ｂに対応するパターン情報を示す。例えば、図７（Ｂ）に示す領域９２ａに含まれる座標では、補正は行わず、領域９２ｂに含まれる座標では、ａ＝ａ１を用いて補正を行い、領域９２ｃに含まれる座標では、ａ＝（ａ１）２を用いて補正を行い、領域９２ｄに含まれる座標では、ａ＝（ａ１）３を用いて補正を行うことができる。
【０１１６】
図７（Ｃ）に、表示領域１０１ｃに対応するパターン情報を示す。例えば、図７（Ｃ）に示す領域９２ａに含まれる座標では、補正は行わず、領域９２ｂに含まれる座標では、ａ＝ａ１を用いて補正を行い、領域９２ｃに含まれる座標では、ａ＝（ａ１）２を用いて補正を行うことができる。
【０１１７】
図７（Ｄ）に、表示領域１０１ｄ及び表示領域１０１ｅに対応するパターン情報を示す。例えば、図７（Ｄ）に示す領域９２ａに含まれる座標では、補正は行わず、領域９２ｂに含まれる座標では、ａ＝ａ１を用いて補正を行うことができる。
【０１１８】
このように、事前に表示パネルの形状又は重ね方をもとに、表示パネルの座標情報と、各座標に対応するａの値とを含むパターン情報を取得し、画像処理装置１１に記憶させてもよい。
【０１１９】
なお、画像処理装置１１で行う補正は上記に限定されない。例えば、アンシャープマスキング処理等の鮮鋭化処理、ノイズ除去処理、コントラスト強調処理、又は輪郭強調処理等を行ってもよい。
【０１２０】
また、画像処理装置１１では、表示領域１０１ａの可視光を透過する領域１１０ｂと重なる部分と、重ならない部分と、の間の輝度差の補正に限られず、１つの表示パネル内もしくは複数の表示パネル間の輝度差もしくは色度差等の補正を行ってもよい。例えば、表示装置１２の特性又は表示装置１２の周囲の環境の情報に基づいて補正を行うことができる。
【０１２１】
また、図８（Ａ）に示すように、表示パネルの重ね方にずれが生じた場合には、表示領域１０１の可視光を透過する領域１１０と重なる部分の輪郭が目立たないように、アンチエイリアス処理を施すことが好ましい。なお、表示パネルの重ね方にずれが生じた場合のパターン情報を取得し、画像処理装置１１に供給してもよい。
【０１２２】
また、本発明の一態様の表示システムは、可撓性を有する表示装置を有していてもよい。その場合は、図８（Ｂ）に示すように、表示装置を曲げた状態で表示している際に、輝度情報を取得することで、画像処理装置では、より高精度な補正を施すことができ、好ましい。
【０１２３】
本発明の一態様では、表示装置の少なくとも一部が可撓性を有していてもよい。また、表示パネルの少なくとも一部が可撓性を有していてもよい。本発明の一態様の表示システムは、可撓性を有する表示パネルを有することが好ましい。これにより、湾曲した大型の表示システム又は可撓性を有する表示システムを実現でき、用途が拡大される。このとき、有機ＥＬ素子を表示素子として好適に用いることができる。
【０１２４】
表示装置又は表示システムは、例えば、ＦＨＤ（１９２０×１０８０）、４Ｋ２Ｋ（３８４０×２０４８もしくは４０９６×２１８０等）、又は８Ｋ４Ｋ（７６８０×４３２０もしくは８１９２×４３２０等）のような高解像度とすることが好ましい。
【０１２５】
以下では、図面を用いて、表示装置１２の具体例を説明する。
【０１２６】
図９（Ａ）に表示装置１２の上面図を示す。図９（Ａ）に示す表示装置１２は、図１０（Ｂ）に示す表示パネル１００を一方向（横方向）に３つ有する。
【０１２７】
図９（Ｂ）、（Ｃ）に、図９（Ａ）とは異なる表示装置１２の斜視図を示す。図９（Ｂ）、（Ｃ）に示す表示装置１２は、図１０（Ｃ）に示す表示パネル１００を２×２のマトリクス状に（縦方向及び横方向にそれぞれ２つずつ）計４つ有する。図９（Ｂ）は、表示装置１２の表示面側の斜視図であり、図９（Ｃ）は、表示装置１２の表示面側とは反対側の斜視図である。
【０１２８】
また、図９（Ａ）〜（Ｃ）では、各表示パネルがＦＰＣと電気的に接続されている例を示す。
【０１２９】
表示装置１２に用いることができる表示パネルについて、図１０（Ａ）〜（Ｄ）を用いて説明する。図１０（Ａ）〜（Ｄ）は、表示パネル１００の上面図の一例である。
【０１３０】
表示パネル１００は、表示領域１０１及び領域１０２を有する。ここで、領域１０２は、表示パネル１００の上面図における、表示領域１０１以外の部分を指す。領域１０２は、非表示領域と呼ぶこともできる。
【０１３１】
例えば、表示パネル１００は、図１０（Ａ）に示すように、表示領域１０１を囲む枠状の領域１０２を有していてもよい。
【０１３２】
図１０（Ｂ）〜（Ｄ）では、領域１０２の構成を具体的に示している。領域１０２は、可視光を透過する領域１１０及び可視光を遮る領域１２０を有する。可視光を透過する領域１１０及び可視光を遮る領域１２０は、それぞれ、表示領域１０１と隣接する。可視光を透過する領域１１０及び可視光を遮る領域１２０は、それぞれ、表示領域１０１の外周の一部に沿って設けられていてもよい。
【０１３３】
図１０（Ｂ）に示す表示パネル１００では、可視光を透過する領域１１０が、表示領域１０１の１辺に沿って配置されている。また、図１０（Ｃ）に示す表示パネル１００では、可視光を透過する領域１１０が、表示領域１０１の２辺に沿って配置されている。可視光を透過する領域１１０は、表示領域１０１の３辺以上に沿って配置されていてもよい。可視光を透過する領域１１０は、図１０（Ｂ）等に示すように、表示領域１０１と接して、表示パネルの端部にまで設けられていることが好ましい。
【０１３４】
図１０（Ｂ）〜（Ｄ）に示す表示パネル１００では、可視光を遮る領域１２０が、表示領域１０１の２辺に沿って配置されている。可視光を遮る領域１２０は、表示パネルの端部近傍にまで設けられていてもよい。
【０１３５】
なお、図１０（Ｂ）、（Ｃ）に示す領域１０２のうち、可視光を透過する領域１１０及び可視光を遮る領域１２０以外の領域における、可視光の透過性は問わない。例えば、図１０（Ｄ）に示すように、表示パネルの全周にわたって可視光を透過する領域１１０が設けられていてもよい。可視光を透過する領域１１０は少なくとも一部が表示領域１０１と隣接する。可視光を透過する領域１１０と表示領域１０１の間に可視光を遮る領域１２０が位置する部分があってもよい。
【０１３６】
表示領域１０１は、マトリクス状に配置された複数の画素を含み、画像を表示することが可能である。各画素には一つ以上の表示素子が設けられている。表示素子としては、例えば、有機ＥＬ素子などの発光素子、又は液晶素子等を用いることができる。
【０１３７】
可視光を透過する領域１１０には、可視光を透過する材料を用いる。例えば、表示パネル１００を構成する基板、接着層等を含んでいてもよい。可視光を透過する領域１１０の可視光の透過率は高いほど、下に重なる表示パネルの光取り出し効率を高められるため、好ましい。可視光を透過する領域１１０において、波長４５０ｎｍ以上７００ｎｍ以下の範囲の光の透過率の平均値は７０％以上であると好ましく、８０％以上であるとより好ましく、９０％以上であるとさらに好ましい。
【０１３８】
可視光を遮る領域１２０には、例えば表示領域１０１に含まれる画素（又は表示素子）に電気的に接続する配線が設けられている。また、このような配線に加え、画素を駆動するための駆動回路（走査線駆動回路、信号線駆動回路等）が設けられていてもよい。また、可視光を遮る領域１２０にはＦＰＣ等と電気的に接続する端子（接続端子ともいう）、及び当該端子と電気的に接続する配線等を含む。
【０１３９】
ここで、図１０（Ｂ）、（Ｃ）に示す可視光を透過する領域１１０の幅Ｗは、０．５ｍｍ以上１５０ｍｍ以下であると好ましく、１ｍｍ以上１００ｍｍ以下がより好ましく、２ｍｍ以上５０ｍｍ以下がさらに好ましい。可視光を透過する領域１１０は封止領域としての機能を有するため、可視光を透過する領域１１０の幅Ｗが大きいほど表示パネル１００の端部と表示領域１０１との距離を長くすることができ、外部から水などの不純物が表示領域１０１にまで侵入することを抑制することが可能となる。なお、可視光を透過する領域１１０の幅Ｗは、表示領域１０１から表示パネル１００の端部までの最短距離に相当する場合がある。
【０１４０】
例えば、表示素子として有機ＥＬ素子を用いた場合には可視光を透過する領域１１０の幅Ｗを１ｍｍ以上とすることで、有機ＥＬ素子の劣化を効果的に抑制することができ、信頼性を高めることができる。なお、可視光を透過する領域１１０以外の部分においても、表示領域１０１の端部と表示パネル１００の端部との距離が上述の範囲になるように設定することが好ましい。
【０１４１】
図９（Ａ）に示す表示装置１２は、表示パネル１００ａ、１００ｂ、１００ｃを備える。
【０１４２】
表示パネル１００ｂは、その一部が表示パネル１００ａの上側（表示面側）に重ねて配置されている。具体的には、表示パネル１００ａの表示領域１０１ａ上に表示パネル１００ｂの可視光を透過する領域１１０ｂが重なるように配置されている。また、表示パネル１００ａの表示領域１０１ａ上に表示パネル１００ｂの可視光を遮る領域１２０ｂが重ならないように配置されている。また、表示パネル１００ａの領域１０２ａ及び可視光を遮る領域１２０ａ上に表示パネル１００ｂの表示領域１０１ｂが重なるように配置されている。
【０１４３】
同様に、表示パネル１００ｃは、その一部が表示パネル１００ｂの上側（表示面側）に重ねて配置されている。具体的には、表示パネル１００ｂの表示領域１０１ｂ上に表示パネル１００ｃの可視光を透過する領域１１０ｃが重なるように配置されている。また、表示パネル１００ｂの表示領域１０１ｂ上に表示パネル１００ｃの可視光を遮る領域１２０ｃが重ならないように配置されている。また、表示パネル１００ｂの領域１０２ｂ及び可視光を遮る領域１２０ｂ上に表示パネル１００ｃの表示領域１０１ｃが重なるように配置されている。
【０１４４】
表示領域１０１ａ上には可視光を透過する領域１１０ｂが重なるため、表示パネル１００ｂが表示パネル１００ａの表示面上に重なっていても、表示装置１２の使用者は、表示領域１０１ａの表示全体を視認することが可能となる。同様に、表示領域１０１ｂも可視光を透過する領域１１０ｃが重なるため、表示パネル１００ｃが表示パネル１００ｂの表示面上に重なっていても、表示装置１２の使用者は、表示領域１０１ｂの表示全体を視認することが可能となる。
【０１４５】
また、領域１０２ａ及び可視光を遮る領域１２０ａの上側に、表示パネル１００ｂの表示領域１０１ｂが重なることで、表示領域１０１ａ及び表示領域１０１ｂの間に非表示領域が存在しない。同様に、領域１０２ｂ及び可視光を遮る領域１２０ｂの上側に、表示パネル１００ｃの表示領域１０１ｃが重なることで、表示領域１０１ｂ及び表示領域１０１ｃの間に非表示領域が存在しない。したがって、表示領域１０１ａ、１０１ｂ、１０１ｃが継ぎ目なく配置された領域を表示装置１２の表示領域１３とすることが可能となる。
【０１４６】
図９（Ｂ）、（Ｃ）に示す表示装置１２は、表示パネル１００ａ、１００ｂ、１００ｃ、１００ｄを備える。
【０１４７】
図９（Ｂ）、（Ｃ）において、表示パネル１００ａ、１００ｂの短辺同士が重なり、表示領域１０１ａの一部と、可視光を透過する領域１１０ｂの一部が重なっている。また、表示パネル１００ａ、１００ｃの長辺同士が重なり、表示領域１０１ａの一部と、可視光を透過する領域１１０ｃの一部が重なっている。
【０１４８】
また、図９（Ｂ）、（Ｃ）において、表示領域１０１ｂの一部は、可視光を透過する領域１１０ｃの一部、及び可視光を透過する領域１１０ｄの一部と重なっている。また、表示領域１０１ｃの一部は、可視光を透過する領域１１０ｄの一部と重なっている。
【０１４９】
したがって、図９（Ｂ）に示すように、表示領域１０１ａ〜１０１ｄが継ぎ目なく配置された領域を表示装置１２の表示領域１３とすることが可能となる。
【０１５０】
ここで、表示パネル１００が可撓性を有していることが好ましい。例えば、表示パネル１００を構成する一対の基板は可撓性を有することが好ましい。
【０１５１】
これにより、例えば、図９（Ｂ）、（Ｃ）に示すように、表示パネル１００ａのＦＰＣ１１２ａの近傍を湾曲させ、ＦＰＣ１１２ａに隣接する表示パネル１００ｂの表示領域１０１ｂの下側に、表示パネル１００ａの一部、及びＦＰＣ１１２ａの一部を配置することができる。その結果、ＦＰＣ１１２ａを表示パネル１００ｂの裏面と物理的に干渉することなく配置することができる。また、表示パネル１００ａと表示パネル１００ｂとを重ねて固定する場合に、ＦＰＣ１１２ａの厚さを考慮する必要がないため、可視光を透過する領域１１０ｂの上面と、表示パネル１００ａの上面との高さの差を低減できる。その結果、表示領域１０１ａ上に位置する表示パネル１００ｂの端部を目立たなくすることができる。
【０１５２】
さらに、各表示パネル１００に可撓性を持たせることで、表示パネル１００ｂの表示領域１０１ｂにおける上面の高さを、表示パネル１００ａの表示領域１０１ａにおける上面の高さと一致するように、表示パネル１００ｂを緩やかに湾曲させることができる。そのため、表示パネル１００ａと表示パネル１００ｂとが重なる領域近傍を除き、各表示領域の高さを揃えることが可能で、表示装置１２の表示領域１３に表示する画像の表示品位を高めることができる。
【０１５３】
上記では、表示パネル１００ａと表示パネル１００ｂの関係を例に説明したが、他の隣接する２つの表示パネル間でも同様である。
【０１５４】
また、隣接する２つの表示パネル１００間の段差を軽減するため、表示パネル１００の厚さは薄い方が好ましい。例えば表示パネル１００の厚さを１ｍｍ以下、好ましくは３００μｍ以下、より好ましくは１００μｍ以下とすることが好ましい。また、表示パネルが薄いと、表示装置全体の薄型化又は軽量化にもつながるため、好ましい。
【０１５５】
図１１（Ａ）は、図９（Ｂ）、（Ｃ）に示す表示装置１２を表示面側から見た上面図である。
【０１５６】
ここで、表示パネル１００における可視光を透過する領域１１０の可視光に対する透過率が十分高くない場合には、表示領域１０１と重なる表示パネル１００の枚数に応じて、表示する画像の輝度が低下してしまう恐れがある。
【０１５７】
例えば、図１１（Ａ）中の領域Ａでは、表示パネル１００ａの表示領域１０１ａ上に、１枚の表示パネル１００ｃが重なっている。また、領域Ｂでは、表示パネル１００ｂの表示領域１０１ｂ上に、表示パネル１００ｃ、１００ｄの計２枚の表示パネル１００が重なっている。そして、領域Ｃでは、表示パネル１００ａの表示領域１０１ａ上に、表示パネル１００ｂ、１００ｃ、１００ｄの計３枚の表示パネル１００が重なっている。
【０１５８】
このような場合に、本発明の一態様の画像処理装置を用いて、画像データに補正を行うことが好ましい。具体的には、表示領域１０１上に重なる表示パネル１００の枚数に応じて、画素の階調を局所的に高めるような補正を、画像データに対して施すことが好ましい。こうすることで、表示装置１２の表示領域１３に表示される画像の表示品位の低下を抑制することが可能となる。
【０１５９】
また、上部に配置する表示パネル１００の端部の位置を他の表示パネル１００の端部とずらすことで、下部の表示パネル１００の表示領域１０１上に重なる表示パネル１００の枚数を減らすことができる。
【０１６０】
図１１（Ｂ）では、表示パネル１００ａ、１００ｂ上に配置する表示パネル１００ｃ、１００ｄを一方向にずらして配置した場合を示す。具体的には、表示パネル１００ａ、１００ｂに対して表示パネル１００ｃ、１００ｄをＸ方向の正方向に可視光を透過する領域１１０の幅Ｗの距離だけ相対的にずらした場合を示している。このとき、表示領域１０１上に１つの表示パネル１００が重ねられた領域Ｄと、表示領域１０１上に２つの表示パネル１００が重ねられた領域Ｅとが存在する。
【０１６１】
また、表示パネルをＸ方向に対して直交する方向（Ｙ方向）にずらして配置してもよい。図１１（Ｃ）では、表示パネル１００ａ、１００ｃに対して、表示パネル１００ｂ、１００ｄを、Ｙ方向の正方向に可視光を透過する領域１１０の幅Ｗの距離だけずらして配置した場合を示している。
【０１６２】
なお、上部に位置する表示パネル１００を下部に位置する表示パネル１００に対してずらして配置する場合には、各表示パネル１００の表示領域１０１を組み合わせた領域の輪郭が矩形形状とは異なる形状となる。そのため、図１１（Ｂ）、（Ｃ）に示すように表示装置１２の表示領域１３を矩形にする場合には、これよりも外側に位置する表示パネル１００の表示領域１０１に画像を表示しないように駆動することが好ましい。表示パネル１００の表示領域１０１には、画像を表示しない領域における画素の数を考慮し、表示領域１３の全画素数を表示パネル１００の枚数で割った数よりも多くの画素を設けることが好ましい。
【０１６３】
なお、上記では、各々の表示パネル１００を相対的にずらす場合の距離を、可視光を透過する領域１１０の幅Ｗの整数倍としたがこれに限られず、表示パネル１００の形状、又はこれを組み合わせた表示装置１２の表示領域１３の形状などを考慮して適宜設定することができる。
【０１６４】
図１２及び図１３は、それぞれ、２つの表示パネルを貼り合わせた際の断面図の一例である。
【０１６５】
図１２（Ａ）〜（Ｅ）の各図において、下側の表示パネルは、表示領域１０１ａ、可視光を透過する領域１１０ａ、及び可視光を遮る領域１２０ａを有する。下側の表示パネルには、ＦＰＣ１１２ａが電気的に接続されている。上側（表示面側）の表示パネルは、表示領域１０１ｂ、可視光を透過する領域１１０ｂ、及び可視光を遮る領域１２０ｂを有する。上側の表示パネルには、ＦＰＣ１１２ｂが電気的に接続されている。
【０１６６】
図１２（Ａ）では、ＦＰＣ１１２ａが下側の表示パネルの表示面（おもて面）側に接続され、ＦＰＣ１１２ｂが上側の表示パネルの表示面側に接続されている例を示す。
【０１６７】
ここで、上側に位置する表示パネルの可視光を透過する領域と、下側に位置する表示パネルの表示領域との間に空気が存在すると、表示領域から取り出される光の一部は、表示領域と大気の界面、並びに、大気と可視光を透過する領域の界面で、それぞれ反射し、表示の輝度の低下の原因となる場合がある。これにより、複数の表示パネルが重なっている領域の光取り出し効率が低下してしまう。また、上側に位置する表示パネルの可視光を透過する領域と重なる部分と、重ならない部分とで、下側に位置する表示パネルの表示領域の輝度に差が出てしまい、使用者から表示パネルの継ぎ目が認識されやすくなる場合がある。
【０１６８】
そこで、図１２（Ｂ）に示すように、表示装置は、表示領域と可視光を透過する領域の間に、空気よりも屈折率が高く、可視光を透過する透光層１０３を有することが好ましい。これにより、表示領域と可視光を透過する領域の間に空気が入ることを抑制でき、屈折率の差による界面での反射を低減することができる。そして、表示装置における表示ムラ又は輝度ムラの抑制が可能となる。また、２つのパネルの界面に空気が入らない方が、可視光を透過する領域を介して視認される表示領域の輝度の低下の度合いの見積もりが容易となり、画像処理の精度を向上させることができる。
【０１６９】
なお、透光層の可視光の透過率が高いほど、表示装置の光取り出し効率を高められるため、好ましい。透光層において、波長４５０ｎｍ以上７００ｎｍ以下の範囲の光の透過率の平均値は８０％以上が好ましく、９０％以上がより好ましい。
【０１７０】
また、透光層と、透光層と接する層は、屈折率の差が小さいほど、光の反射を抑制することができるため、好ましい。例えば、透光層の屈折率は、空気よりも高ければよく、１．３以上１．８以下であると好ましい。透光層と、透光層と接する層（例えば、表示パネルを構成する基板）は、屈折率の差が０．３０以下であると好ましく、０．２０以下であるとより好ましく、０．１５以下であるとさらに好ましい。
【０１７１】
透光層は、下側の表示パネル及び上側の表示パネルの少なくとも一方と、着脱自在に接することが好ましい。表示装置を構成する表示パネルをそれぞれ独立に取り外しできると、例えば、一つの表示パネルの表示に不具合が生じた場合、当該表示不良となった表示パネルのみを、新しい表示パネルに交換することができる。他の表示パネルは継続して使用することで、表示装置をより長く、低コストに使用することができる。
【０１７２】
なお、表示パネルが着脱自在である必要がない場合は、透光層に接着性を有する材料（接着剤等）を用いて表示パネル同士を固定してもよい。
【０１７３】
透光層には、無機材料又は有機材料のいずれも用いることができる。透光層には、液状物質、ゲル状物質、又は固体状物質を用いることができる。
【０１７４】
透光層には、例えば、水、水溶液、フッ素系不活性液体、屈折液、シリコーンオイル等の液状物質を用いることができる。
【０１７５】
表示装置を、水平面（重力が働く方向に垂直な面）に傾けて配置する場合、又は水平面と垂直になるように配置する場合等において、液状物質の粘度は、１ｍＰａ・ｓ以上が好ましく、１Ｐａ・ｓ以上がより好ましく、１０Ｐａ・ｓ以上がさらに好ましく、１００Ｐａ・ｓ以上が特に好ましい。なお、表示装置を水平面と平行になるように配置する場合等においては、これに限られない。
【０１７６】
透光層は不活性であると、表示装置を構成する他の層にダメージ等を与えることを抑制でき、好ましい。
【０１７７】
透光層に含まれる材料は不揮発性であることが好ましい。これにより、透光層に用いた材料が揮発することで界面に空気が入ってしまうことを抑制することができる。
【０１７８】
また、透光層には、高分子材料を用いることができる。例えば、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等の樹脂が挙げられる。また、二液混合型の樹脂を用いてもよい。これら樹脂のいずれか一以上を含む、紫外線硬化型等の光硬化型接着剤、反応硬化型接着剤、熱硬化型接着剤、嫌気型接着剤などの各種硬化型接着剤又は接着シート等を用いてもよい。表示パネル同士を固定したくない場合等は、接着剤は硬化させなくてもよい。
【０１７９】
透光層は、被着体に対する自己吸着性が高い層であると好ましい。また、透光層は、被着体に対する剥離性が高い層であると好ましい。表示パネルに貼り付けた透光層を剥離した後、表示パネルと再び貼り合わせることができることが好ましい。
【０１８０】
また、透光層は粘着性を有さない、又は粘着性が低いことが好ましい。これにより被着体の表面を傷つける、又は汚すことなく、被着体への透光層の吸着、及び、被着体からの透光層の剥離を、繰り返すことができる。
【０１８１】
透光層には、例えば、吸着性を有するフィルム又は粘着性を有するフィルムを用いることができる。また、吸着層又は粘着層と、基材と、の積層構造を有する吸着フィルムを用いる場合、吸着層又は粘着層が、表示装置における透光層として機能し、基材が、表示パネルを構成する基板として機能してもよい。なお、表示装置が吸着フィルムの基材とは別に基板を有していてもよい。吸着フィルムは、アンカー層を、吸着層又は粘着層と、基材との間に有していてもよい。アンカー層は、吸着層又は粘着層と、基材との接着力を向上させる機能を有する。また、アンカー層は、基材の吸着層又は粘着層の塗工面を平滑にする機能を有する。これにより、被着体と透光層の間の気泡を発生しにくくすることができる。
【０１８２】
例えば、表示装置には、シリコーン樹脂層とポリエステルフィルムとが積層されたフィルムを好適に用いることができる。このとき、シリコーン樹脂層が吸着性を有し、透光層として機能する。また、ポリエステルフィルムは、表示パネルを構成する基板として機能する。なお、ポリエステルフィルムとは別に、表示パネルを構成する基板を設けてもよい。
【０１８３】
なお、吸着層と、基材と、粘着層もしくは接着層と、が積層されたフィルムを用いる場合、吸着層が、表示装置における透光層として機能し、基材が、表示パネルを構成する基板として機能し、粘着層もしくは接着層が、表示パネルの素子層と基板を貼り合わせる層として機能してもよい。
【０１８４】
透光層の厚さに特に限定はない。例えば、１μｍ以上５０μｍ以下としてもよい。透光層の厚さは５０μｍより厚くてもよいが、可撓性を有する表示装置を作製する場合には、表示装置の可撓性を損なわない程度の厚さとすることが好ましい。例えば、透光層の厚さは、１０μｍ以上３０μｍ以下が好ましい。また、透光層の厚さは、１μｍ未満であってもよい。
【０１８５】
表示領域１０１ａは、透光層１０３を介して、可視光を透過する領域１１０ｂと重なる。したがって、表示領域１０１ａと可視光を透過する領域１１０ｂの間に空気が入ることを抑制でき、屈折率の差による界面での反射を低減することができる。
【０１８６】
これにより、可視光を透過する領域１１０ｂと重なる部分と重ならない部分とで、表示領域１０１ａの輝度に差が生じることを抑制し、表示装置の使用者に表示パネルの継ぎ目が認識されにくくすることができる。また、表示装置における表示ムラ又は輝度ムラの抑制が可能となる。
【０１８７】
可視光を遮る領域１２０ａ及びＦＰＣ１１２ａは、それぞれ、表示領域１０１ｂと重なる。したがって、非表示領域の面積を十分に確保し、かつ、継ぎ目のない表示領域の大型化を図ることができ、信頼性が高い大型の表示装置を実現できる。
【０１８８】
図１２（Ｃ）では、ＦＰＣ１１２ａが下側の表示パネルの表示面とは反対側の面（裏面）側に接続され、ＦＰＣ１１２ｂが上側の表示パネルの表示面とは反対側の面（裏面）側に接続されている例を示す。
【０１８９】
図１２（Ｃ）に示すように、透光層１０３は、下側の表示パネルの可視光を遮る領域１２０ａと上側の表示パネルの表示領域１０１ｂとの間にまで設けられていてもよい。
【０１９０】
ＦＰＣが表示パネルの裏面側に接続される構成とすることで、下側の表示パネルの端部を上側の表示パネルの裏面に貼り付けることが可能なため、これらの接着面積を大きくでき、貼り合わせ部分の機械的強度を高めることができる。
【０１９１】
図１２（Ｄ）に示すように、表示領域１０１ａの、上側の表示パネルと重ならない領域と、透光層１０３とが重なっていてもよい。さらに、可視光を透過する領域１１０ａと透光層１０３とが重なっていてもよい。
【０１９２】
また、図１２（Ｅ）に示すように、上側の表示パネルの、表示領域１０１ａと重ならない領域と、透光層１０３とが重なっていてもよい。
【０１９３】
また、例えば、図１３（Ａ）に示すように、下側の表示パネルが、基板１５１ａ、基板１５２ａ、素子層１５３ａを有し、上側の表示パネルが、基板１５１ｂ、基板１５２ｂ、素子層１５３ｂを有していてもよい。
【０１９４】
素子層１５３ａは、表示素子を含む領域１５５ａ、表示素子と電気的に接続する配線を含む領域１５６ａを有する。領域１５６ａに含まれる配線は、ＦＰＣ１１２ａと電気的に接続される。
【０１９５】
上側の表示パネルが有する素子層１５３ｂも同様に、表示素子を含む領域１５５ｂ、表示素子と電気的に接続する配線を含む領域１５６ｂを有する。領域１５６ｂに含まれる配線は、ＦＰＣ１１２ｂと電気的に接続される。
【０１９６】
基板１５２ａ上には透光層１０３ａが設けられている。例えば、上述の、吸着層と、基材とを積層して有する吸着フィルムを用いて、基板１５２ａ及び透光層１０３ａの積層構造を構成することができる。基板１５２ｂ及び透光層１０３ｂも同様の構成とすることができる。
【０１９７】
ここで、透光層の材質によっては、大気中のほこりなど細かなゴミが吸着してしまう場合がある。このような場合は、表示領域１０１ａの、上側の表示パネルと重ならない領域と、透光層１０３とが重ならない方が好ましい。これにより、透光層１０３に付着したゴミ等により、表示装置の表示が不鮮明になることを抑制できる。
【０１９８】
図１３（Ｂ）に示すように、基板１５１ａと接して透光層１０３ａが設けられていてもよい。例えば、上述の、吸着層と、基材とを積層して有する吸着フィルムを用いて、基板１５１ａ及び透光層１０３ａの積層構造を構成することができる。基板１５１ｂ及び透光層１０３ｂも同様の構成とすることができる。
【０１９９】
図１３（Ｂ）の構成では、表示装置の表示面側の最表面に透光層が位置しないため、透光層１０３に付着したゴミ等により、表示装置の表示が不鮮明になることを防止できる。また、表示装置の裏面に吸着性を有する透光層を配置すると、表示パネルと接していない面を用いて、表示装置を所望の位置に着脱自在に貼り付けることができる。
【０２００】
また、図１３（Ｃ）に示すように、表示パネル１００ａ及び表示パネル１００ｂのおもて面を覆う樹脂層１３１を設けてもよい。具体的には、表示パネル１００ａ及び表示パネル１００ｂの各々の表示領域と、表示パネル１００ａと表示パネル１００ｂとが重畳する領域とを覆って、樹脂層１３１を設けることが好ましい。
【０２０１】
樹脂層１３１を複数の表示パネル１００にわたって設けることで、表示装置１２の機械的強度を高めることができる。また、樹脂層１３１の表面が平坦になるように形成すると、表示領域１３に表示される画像の表示品位を高めることができる。例えば、スリットコータ、カーテンコータ、グラビアコータ、ロールコータ、スピンコータなどのコーティング装置を用いると、平坦性の高い樹脂層１３１を形成することができる。
【０２０２】
また、樹脂層１３１の屈折率は、表示パネル１００の表示面側に用いる基板の屈折率の０．８倍以上１．２倍以下であると好ましく、０．９倍以上１．１倍以下であるとより好ましく、０．９５倍以上１．１５倍以下であるとさらに好ましい。表示パネル１００と樹脂層１３１の屈折率の差が小さいほど、光を効率よく外部に取り出すことができる。また、このような屈折率を有する樹脂層１３１を表示パネル１００ａと表示パネル１００ｂとの段差部を覆うように設けることで、当該段差部が視認しにくくなるため、表示領域１３に表示される画像の表示品位を高めることができる。
【０２０３】
樹脂層１３１は、可視光を透過する層である。樹脂層１３１には、例えば、エポキシ樹脂、アラミド樹脂、アクリル樹脂、ポリイミド樹脂、ポリアミド樹脂、ポリアミドイミド樹脂等の有機樹脂を用いることができる。
【０２０４】
また、図１３（Ｄ）に示すように、樹脂層１３１を介して表示装置１２上に保護基板１３２を設けることが好ましい。このとき、樹脂層１３１は表示装置１２と保護基板１３２とを接着する接着層としての機能を有していてもよい。保護基板１３２により、表示装置１２の表面を保護するだけでなく、表示装置１２の機械的強度を高めることができる。保護基板１３２としては、少なくとも表示領域１３と重なる領域に透光性を有する材料を用いる。また、保護基板１３２は表示領域１３と重なる領域以外の領域が視認されないように、遮光性を備えていてもよい。
【０２０５】
保護基板１３２は、タッチパネルとしての機能を有していてもよい。また、表示パネル１００が可撓性を有し、湾曲可能な場合には、保護基板１３２も同様に可撓性を有していることが好ましい。
【０２０６】
また、保護基板１３２は、表示パネル１００の表示面側に用いる基板、又は樹脂層１３１との屈折率の差が２０％以下であると好ましく、１０％以下であるとより好ましく、５％以下であるとさらに好ましい。
【０２０７】
保護基板１３２としては、フィルム状のプラスチック基板を用いることができる。例えば、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂（ナイロン、アラミド等）、ポリシクロオレフィン樹脂、ポリスチレン樹脂、ポリアミドイミド樹脂、ポリ塩化ビニル樹脂、ポリエーテルエーテルケトン（ＰＥＥＫ）樹脂、ポリスルホン（ＰＳＦ）樹脂、ポリエーテルイミド（ＰＥＩ）樹脂、ポリアリレート（ＰＡＲ）樹脂、ポリブチレンテレフタレート（ＰＢＴ）樹脂、ポリテトラフルオロエチレン（ＰＴＦＥ）樹脂、シリコーン樹脂等が挙げられる。また、繊維体に樹脂を含浸した基板（プリプレグともいう）、又は無機フィラーを有機樹脂に混ぜて線膨張係数を下げた基板を使用することもできる。また、保護基板１３２は、樹脂フィルムに限定されず、パルプを連続シートに加工した透明な不織布、フィブロインと呼ばれるたんぱく質を含む人工くも糸繊維を含むシート、これらと樹脂とを混合させた複合体、繊維幅が４ｎｍ以上１００ｎｍ以下のセルロース繊維からなる不織布と樹脂膜の積層体、又は人工くも糸繊維を含むシートと樹脂膜の積層体を用いてもよい。
【０２０８】
また、保護基板１３２として、偏光板、円偏光板、位相差板、又は光学フィルム等の少なくとも一つを用いてもよい。
【０２０９】
また、図１３（Ｅ）に示すように、表示パネル１００ａ及び表示パネル１００ｂの表示面とは反対側の面に樹脂層１３３及び保護基板１３４を設けてもよい。表示パネルの裏面に、表示パネルを支持する基板を配置することで、表示パネルに意図しない反り又は曲げが生じることを抑制し、表示面を平滑に保つことで、表示領域１３に表示される画像の表示品位を高めることができる。
【０２１０】
なお、表示面とは反対側に設けられる樹脂層１３３及び保護基板１３４は、必ずしも透光性を有している必要はなく、可視光を吸収又は反射する材料を用いてもよい。
【０２１１】
また、図１３（Ｆ）に示すように、表示パネルのおもて面に、樹脂層１３１及び保護基板１３２を、裏面に、樹脂層１３３及び保護基板１３４を設けてもよい。このように、表示パネル１００ａ及び表示パネル１００ｂを２枚の保護基板によって挟むことで、表示装置１２の機械的強度をさらに高めることができる。
【０２１２】
また、樹脂層１３１及び保護基板１３２の厚さの合計と、樹脂層１３３及び保護基板１３４の厚さの合計と、が、概略同一であると好ましい。例えば、樹脂層１３１及び樹脂層１３３を同等の厚さとし、保護基板１３２及び保護基板１３４に同一の厚さの材料を用いることが好ましい。これにより、複数の表示パネル１００をこれら積層体の厚さ方向における中央部に配置することができる。例えば、表示パネル１００を含む積層体を湾曲させる際には、表示パネル１００が厚さ方向における中央部に位置することで、湾曲に伴って表示パネル１００にかかる横方向の応力が緩和され、表示パネル１００の破損を防止することができる。
【０２１３】
なお、樹脂層及び保護基板の厚さが、表示装置の端部と中央部とで異なる場合などは、平均の厚さ、最大の厚さ、最小の厚さ等を適宜選択し、同じ条件で、樹脂層１３１及び保護基板１３２の厚さの合計と、樹脂層１３３及び保護基板１３４の厚さの合計を比較することが好ましい。
【０２１４】
図１３（Ｆ）において、樹脂層１３１と樹脂層１３３に同一の材料を用いると、作成コストを低減でき、好ましい。同様に、保護基板１３２と保護基板１３４に同一の材料を用いると、作製コストを低減でき、好ましい。
【０２１５】
また、図１３（Ｅ）、（Ｆ）に示すように、表示パネル１００ａ及び表示パネル１００ｂの裏面側に配置される樹脂層１３３及び保護基板１３４には、ＦＰＣ１１２ａを取り出すための開口部を設けることが好ましい。特に、図１３（Ｆ）に示すように、ＦＰＣ１１２ａの一部を覆うように樹脂層１３３を設けると、表示パネル１００ａとＦＰＣ１１２ａとの接続部における機械的強度を高めることができ、ＦＰＣ１１２ａが剥がれてしまうなどの不具合を抑制できる。同様に、ＦＰＣ１１２ｂの一部を覆うように樹脂層１３３を設けることが好ましい。
【０２１６】
次に、表示パネル１００の構成例について説明する。図１４（Ａ）は、図１０（Ｃ）における領域Ｐを拡大した上面図の一例であり、図１４（Ｂ）は、図１０（Ｃ）における領域Ｑを拡大した上面図の一例である。
【０２１７】
図１４（Ａ）に示すように、表示領域１０１には複数の画素１４１がマトリクス状に配置されている。赤色、青色、緑色の３色を用いてフルカラー表示が可能な表示パネル１００とする場合では、複数の画素１４１は、それぞれ、上記３色のうちいずれかを表示することのできる副画素に対応する。また、上記３色に加えて白色又は黄色を表示することのできる副画素を設けてもよい。画素１４１を含む領域が表示領域１０１に相当する。
【０２１８】
一つの画素１４１には配線１４２ａ及び配線１４２ｂが電気的に接続されている。複数の配線１４２ａのそれぞれは配線１４２ｂと交差し、回路１４３ａと電気的に接続されている。また、複数の配線１４２ｂは回路１４３ｂと電気的に接続されている。回路１４３ａ及び回路１４３ｂのうち一方が走査線駆動回路として機能する回路であり、他方が信号線駆動回路として機能する回路である。なお、回路１４３ａ又は回路１４３ｂのいずれか一方、又は両方を設けない構成としてもよい。
【０２１９】
図１４（Ａ）では、回路１４３ａ又は回路１４３ｂに電気的に接続する複数の配線１４５が設けられている。配線１４５は、図示しない領域でＦＰＣ１２３と電気的に接続され、外部からの信号を回路１４３ａ及び回路１４３ｂに供給する機能を有する。
【０２２０】
図１４（Ａ）において、回路１４３ａ、回路１４３ｂ、複数の配線１４５等を含む領域が、可視光を遮る領域１２０に相当する。
【０２２１】
図１４（Ｂ）において、最も端に設けられる画素１４１よりも外側の領域が可視光を透過する領域１１０に相当する。可視光を透過する領域１１０は、画素１４１、配線１４２ａ及び配線１４２ｂ等の可視光を遮る部材を有していない。なお、画素１４１の一部、配線１４２ａ又は配線１４２ｂが可視光を透過する場合には、可視光を透過する領域１１０にまで延在して設けられていてもよい。
【０２２２】
可視光を透過する領域１１０の幅が表示パネルによって異なる場合、又は１つの表示パネルの中でも場所によって異なる場合には、最も短い長さを幅Ｗとすることができる。なお、図１４（Ｂ）では画素１４１から基板の端部までの距離（すなわち可視光を透過する領域１１０の幅Ｗ）が、図面縦方向と横方向とで同一である場合を示しているが、本発明の一態様はこれに限られない。
【０２２３】
図１４（Ｃ）は、図１４（Ｂ）中の切断線Ａ１−Ａ２における断面図である。表示パネル１００は、それぞれ可視光を透過する一対の基板（基板１５１、基板１５２）を有する。また、基板１５１と基板１５２は接着層１５４によって接着されている。ここで、画素１４１及び配線１４２ｂ等が形成されている側の基板を基板１５１とする。
【０２２４】
図１４（Ｂ）、（Ｃ）に示すように、画素１４１が表示領域１０１の最も端に位置する場合には、可視光を透過する領域１１０の幅Ｗは、基板１５１又は基板１５２の端部から画素１４１の端部までの長さとなる。
【０２２５】
なお、画素１４１の端部とは、画素１４１に含まれる可視光を遮る部材のうち、最も端に位置する部材の端部を指す。または、画素１４１として一対の電極間に発光性の有機化合物を含む層を備える発光素子（有機ＥＬ素子ともいう）を用いた場合には、画素１４１の端部は下部電極の端部、発光性の有機化合物を含む層の端部、上部電極の端部のいずれかであってもよい。
【０２２６】
図１５（Ａ）は、領域Ｑを拡大した上面図の一例であり、配線１４２ａの位置が図１４（Ｂ）とは異なる。また、図１５（Ａ）中の切断線Ｂ１−Ｂ２における断面図を図１５（Ｂ）、切断線Ｃ１−Ｃ２における断面図を図１５（Ｃ）に示す。
【０２２７】
図１５（Ａ）〜（Ｃ）に示すように、表示領域１０１の最も端に配線１４２ａが位置する場合には、可視光を透過する領域１１０の幅Ｗは、基板１５１又は基板１５２の端部から配線１４２ａの端部までの長さとなる。なお、配線１４２ａが可視光を透過する場合、配線１４２ａが設けられる領域は可視光を透過する領域１１０に含まれていてもよい。
【０２２８】
ここで、表示パネル１００の表示領域１０１に設けられる画素の密度が高い場合、２つの表示パネル１００を貼り合わせた際に、位置ずれが生じてしまう場合がある。
【０２２９】
図１６（Ａ）〜（Ｃ）は、それぞれ、下部に設けられる表示パネル１００ａの表示領域１０１ａと、上部に設けられる表示パネル１００ｂの表示領域１０１ｂとの、表示面側から見たときの位置関係を示す図である。図１６（Ａ）〜（Ｃ）では、表示領域１０１ａ及び表示領域１０１ｂのそれぞれの角部近傍を示している。表示領域１０１ａの一部が、可視光を透過する領域１１０ｂによって覆われている。
【０２３０】
図１６（Ａ）では、隣接する画素１４１ａと画素１４１ｂとが相対的に一方向（Ｙ方向）にずれた場合を示している。図中に示す矢印は、表示パネル１００ａが表示パネル１００ｂに対してずれた方向を示している。
【０２３１】
図１６（Ｂ）では、隣接する画素１４１ａと画素１４１ｂとが相対的に縦方向及び横方向（Ｘ方向及びＹ方向）の両方にずれた場合を示している。
【０２３２】
図１６（Ａ）、（Ｂ）に示す例では、横方向にずれた距離と縦方向にずれた距離がそれぞれ１画素分よりも小さい。このような場合は、表示領域１０１ａ及び表示領域１０１ｂのうち少なくとも一方に表示する画像に対応する画像データに対し、当該ずれの距離に応じた補正をかけることで表示品位を保つことが可能となる。具体的には、画素間の距離が小さくなるずれの場合には画素の階調（輝度）を低くするように補正することが好ましい。一方、画素間の距離が大きくなるずれの場合には、画素の階調（輝度）を高めるように補正することが好ましい。また、表示領域１０１ａ上に表示領域１０１ｂが１画素分以上重なるようなずれの場合には、画素１４１ｂの下部に位置する画素１４１ａを駆動しないように画像データを一列分シフトさせるように補正することが好ましい。
【０２３３】
図１６（Ｃ）では、本来隣接するはずであった画素１４１ａと画素１４１ｂとが、相対的に一方向（Ｙ方向）に１画素分以上の距離でずれた例を示している。このように、１画素分の距離以上のずれが生じた場合には、突出した画素（ハッチングを付加した画素）を表示しないように駆動することが好ましい。なお、ずれの方向がＸ方向の場合でも同様である。
【０２３４】
なお、複数の表示パネル１００を貼り合わせる際の位置ずれを抑制するために、各表示パネル１００に位置合わせのためのマーカー等を設けることが好ましい。または、表示パネル１００の表面に凸部及び凹部を形成し、２つの表示パネル１００が重なる領域で当該凸部と凹部とを嵌合させる構成としてもよい。
【０２３５】
また、位置ずれの精度を考慮して、表示パネル１００の表示領域１０１にはあらかじめ使用する画素よりも多くの画素を配置しておくことが好ましい。例えば走査線に沿った画素列、又は信号線に沿った画素列のうち、少なくとも一方を、１列以上、好ましくは３列以上、より好ましくは５列以上、表示に用いる画素列よりも余分に設けておくことが好ましい。
【０２３６】
以上のように、本発明の一態様の画像処理装置は、画像データのうち、表示パネルの表示領域の、可視光を透過する領域を介して視認される部分、又は該領域を介さずに視認される部分の少なくとも一方に対応する座標の階調を補正する画像処理を行うことができる。これにより、可視光を透過する領域を介して視認される部分と、該領域を介さずに視認される部分とで、輝度に差が生じることを抑制できる。したがって、表示パネルの継ぎ目が認識されにくく、表示ムラ又は輝度ムラが抑制された、大型の表示システムを実現することができる。
【０２３７】
本実施の形態は、他の実施の形態と適宜組み合わせることができる。
【０２３８】
（実施の形態２）
本実施の形態では、本発明の一態様の表示システムに用いることができる表示パネルの一例である、発光パネルについて図面を用いて説明する。
【０２３９】
本実施の形態では、主に有機ＥＬ素子を用いた発光パネルを例示するが、本発明の一態様の表示システムに用いることができるパネルはこれに限られない。
【０２４０】
＜具体例１＞
図１７（Ａ）に発光パネルの平面図を示し、図１７（Ａ）における一点鎖線Ａ１−Ａ２間の断面図の一例を図１７（Ｃ）に示す。図１７（Ｃ）には可視光を透過する領域１１０の断面図の一例も示す。具体例１で示す発光パネルは、カラーフィルタ方式を用いたトップエミッション型の発光パネルである。本実施の形態において、発光パネルは、例えば、Ｒ（赤）、Ｇ（緑）、Ｂ（青）の３色の副画素で１つの色を表現する構成、Ｒ、Ｇ、Ｂ、Ｗ（白）の４色の副画素で１つの色を表現する構成、又はＲ、Ｇ、Ｂ、Ｙ（黄）の４色の副画素で１つの色を表現する構成等が適用できる。色要素としては特に限定はなく、ＲＧＢＷＹ以外の色を用いてもよく、例えば、シアン又はマゼンタ等を用いてもよい。
【０２４１】
図１７（Ａ）に示す発光パネルは、可視光を透過する領域１１０、発光部８０４、駆動回路部８０６、ＦＰＣ８０８を有する。可視光を透過する領域１１０は、発光部８０４に隣接し、発光部８０４の２辺に沿って配置されている。
【０２４２】
図１７（Ｃ）に示す発光パネルは、基板７０１、接着層７０３、絶縁層７０５、複数のトランジスタ、導電層８５７、絶縁層８１５、絶縁層８１７、複数の発光素子、絶縁層８２１、接着層８２２、着色層８４５、遮光層８４７、絶縁層７１５、接着層７１３、及び基板７１１を有する。接着層８２２、絶縁層７１５、接着層７１３、及び基板７１１は可視光を透過する。発光部８０４及び駆動回路部８０６に含まれる発光素子及びトランジスタは基板７０１、基板７１１、及び接着層８２２によって封止されている。
【０２４３】
発光部８０４は、接着層７０３、及び絶縁層７０５を介して基板７０１上にトランジスタ８２０及び発光素子８３０を有する。発光素子８３０は、絶縁層８１７上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。下部電極８３１は可視光を反射することが好ましい。上部電極８３５は可視光を透過する。
【０２４４】
また、発光部８０４は、発光素子８３０と重なる着色層８４５と、絶縁層８２１と重なる遮光層８４７と、を有する。発光素子８３０と着色層８４５の間は接着層８２２で充填されている。
【０２４５】
絶縁層８１５は、トランジスタを構成する半導体への不純物の拡散を抑制する効果を奏する。また、絶縁層８１７は、トランジスタ起因の表面凹凸を低減するために平坦化機能を有する絶縁層を選択することが好適である。
【０２４６】
駆動回路部８０６は、接着層７０３及び絶縁層７０５を介して基板７０１上にトランジスタを複数有する。図１７（Ｃ）では、駆動回路部８０６が有するトランジスタのうち、１つのトランジスタを示している。
【０２４７】
絶縁層７０５と基板７０１は接着層７０３によって貼り合わされている。また、絶縁層７１５と基板７１１は接着層７１３によって貼り合わされている。絶縁層７０５及び絶縁層７１５のうち少なくとも一方に防湿性の高い膜を用いると、発光素子８３０及びトランジスタ８２０に水等の不純物が侵入することを抑制でき、発光パネルの信頼性が高くなるため好ましい。
【０２４８】
導電層８５７は、駆動回路部８０６に外部からの信号（ビデオ信号、クロック信号、スタート信号、又はリセット信号等）又は電位を伝達する外部入力端子と電気的に接続する。ここでは、外部入力端子としてＦＰＣ８０８を設ける例を示している。工程数の増加を防ぐため、導電層８５７は、発光部又は駆動回路部に用いる電極又は配線と同一の材料、同一の工程で作製することが好ましい。ここでは、導電層８５７を、トランジスタ８２０を構成する電極と同一の材料、同一の工程で作製した例を示す。
【０２４９】
図１７（Ｃ）に示す発光パネルでは、ＦＰＣ８０８が基板７１１上に位置する。接続体８２５は、基板７１１、接着層７１３、絶縁層７１５、接着層８２２、絶縁層８１７、及び絶縁層８１５に設けられた開口を介して導電層８５７と接続している。また、接続体８２５はＦＰＣ８０８に接続している。接続体８２５を介してＦＰＣ８０８と導電層８５７は電気的に接続する。導電層８５７と基板７１１とが重なる場合には、基板７１１を開口する（又は開口部を有する基板を用いる）ことで、導電層８５７、接続体８２５、及びＦＰＣ８０８を電気的に接続させることができる。
【０２５０】
図１７（Ｂ）に示す発光パネルを２枚重ねて有する表示装置の断面図の一例を図１８に示す。図１８では、下側の発光パネルの表示領域１０１ａ（図１７（Ｂ）に示す発光部８０４と対応）及び可視光を遮る領域１２０ａ（図１７（Ｂ）に示す駆動回路部８０６等に対応）、並びに、上側の発光パネルの表示領域１０１ｂ（図１７（Ｂ）に示す発光部８０４と対応）及び可視光を透過する領域１１０ｂ（図１７（Ｂ）に示す可視光を透過する領域１１０に対応）を示す。
【０２５１】
図１８に示す表示装置において、表示面側（上側）に位置する発光パネルは、可視光を透過する領域１１０ｂを表示領域１０１ｂと隣接して有する。下側の発光パネルの表示領域１０１ａと、上側の発光パネルの可視光を透過する領域１１０ｂとが重なっている。したがって、重ねた２つの発光パネルの表示領域の間の非表示領域を縮小すること、さらには無くすことができる。これにより、使用者から発光パネルの継ぎ目が認識されにくい、大型の表示装置を実現することができる。
【０２５２】
また、図１８に示す表示装置は、表示領域１０１ａと可視光を透過する領域１１０ｂの間に、空気よりも屈折率が高く、可視光を透過する透光層１０３を有する。これにより、表示領域１０１ａと可視光を透過する領域１１０ｂの間に空気が入ることを抑制でき、屈折率の差による界面での反射を低減することができる。そして、表示装置における表示ムラ又は輝度ムラの抑制が可能となる。
【０２５３】
透光層１０３は、下側の発光パネルの基板７１１又は上側の発光パネルの基板７０１の表面全体に重なっていてもよいし、表示領域１０１ａ及び可視光を透過する領域１１０ｂのみと重なっていてもよい。また、基板７１１又は透光層１０３は、可視光を遮る領域１２０ａに含まれていてもよい。
【０２５４】
例えば、吸着層と、基材とを積層して有する吸着フィルムを用いて、上側の発光パネルの基板７０１及び透光層１０３の積層構造を構成することができる。
【０２５５】
＜具体例２＞
図１７（Ｂ）に発光パネルの平面図を示し、図１７（Ｂ）における一点鎖線Ａ３−Ａ４間の断面図の一例を図１９（Ａ）に示す。具体例２で示す発光パネルは、具体例１とは異なる、カラーフィルタ方式を用いたトップエミッション型の発光パネルである。ここでは、具体例１と異なる点のみ詳述し、具体例１と共通する点は説明を省略する。
【０２５６】
図１７（Ｂ）では、発光パネルの３辺にわたって可視光を透過する領域１１０を有する例を示す。そのうち、２辺において、可視光を透過する領域１１０は、発光部８０４と隣接している。
【０２５７】
図１９（Ａ）に示す発光パネルは、図１７（Ｃ）に示す発光パネルと下記の点で異なる。
【０２５８】
図１９（Ａ）に示す発光パネルは、絶縁層８１７ａ及び絶縁層８１７ｂを有し、絶縁層８１７ａ上に導電層８５６を有する。トランジスタ８２０のソース電極又はドレイン電極と、発光素子８３０の下部電極と、が、導電層８５６を介して、電気的に接続される。
【０２５９】
図１９（Ａ）に示す発光パネルは、絶縁層８２１上にスペーサ８２３を有する。スペーサ８２３を設けることで、基板７０１と基板７１１の間隔を調整することができる。
【０２６０】
図１９（Ａ）に示す発光パネルは、着色層８４５及び遮光層８４７を覆うオーバーコート８４９を有する。発光素子８３０とオーバーコート８４９の間は接着層８２２で充填されている。
【０２６１】
また、図１９（Ａ）に示す発光パネルは、基板７０１と基板７１１とで大きさが異なる。ＦＰＣ８０８が絶縁層７１５上に位置し、基板７１１と重ならない。接続体８２５は、絶縁層７１５、接着層８２２、絶縁層８１７ａ、絶縁層８１７ｂ、及び絶縁層８１５に設けられた開口を介して導電層８５７と接続している。基板７１１に開口を設ける必要がないため、基板７１１の材料が制限されない。
【０２６２】
なお、図１９（Ｂ）に示すように、発光素子８３０は、下部電極８３１とＥＬ層８３３の間に、光学調整層８３２を有していてもよい。光学調整層８３２には、透光性を有する導電性材料を用いることが好ましい。カラーフィルタ（着色層）とマイクロキャビティ構造（光学調整層）との組み合わせにより、本発明の一態様の表示システムからは、色純度の高い光を取り出すことができる。光学調整層の膜厚は、各副画素の発光色に応じて変化させる。
【０２６３】
＜具体例３＞
図１７（Ｂ）に発光パネルの平面図を示し、図１７（Ｂ）における一点鎖線Ａ３−Ａ４間の断面図の一例を図１９（Ｃ）に示す。具体例３で示す発光パネルは、塗り分け方式を用いたトップエミッション型の発光パネルである。
【０２６４】
図１９（Ｃ）に示す発光パネルは、基板７０１、接着層７０３、絶縁層７０５、複数のトランジスタ、導電層８５７、絶縁層８１５、絶縁層８１７、複数の発光素子、絶縁層８２１、スペーサ８２３、接着層８２２、及び基板７１１を有する。接着層８２２及び基板７１１は可視光を透過する。
【０２６５】
図１９（Ｃ）に示す発光パネルでは、接続体８２５が絶縁層８１５上に位置する。接続体８２５は、絶縁層８１５に設けられた開口を介して導電層８５７と接続している。また、接続体８２５はＦＰＣ８０８に接続している。接続体８２５を介してＦＰＣ８０８と導電層８５７は電気的に接続する。
【０２６６】
＜具体例４＞
図１７（Ｂ）に発光パネルの平面図を示し、図１７（Ｂ）における一点鎖線Ａ３−Ａ４間の断面図の一例を図２０（Ａ）に示す。具体例４で示す発光パネルは、カラーフィルタ方式を用いたボトムエミッション型の発光パネルである。
【０２６７】
図２０（Ａ）に示す発光パネルは、基板７０１、接着層７０３、絶縁層７０５、複数のトランジスタ、導電層８５７、絶縁層８１５、着色層８４５、絶縁層８１７ａ、絶縁層８１７ｂ、導電層８５６、複数の発光素子、絶縁層８２１、接着層８２２、及び基板７１１を有する。基板７０１、接着層７０３、絶縁層７０５、絶縁層８１５、絶縁層８１７ａ、及び絶縁層８１７ｂは可視光を透過する。
【０２６８】
発光部８０４は、接着層７０３、及び絶縁層７０５を介して基板７０１上にトランジスタ８２０、トランジスタ８２４、及び発光素子８３０を有する。発光素子８３０は、絶縁層８１７ｂ上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。上部電極８３５は可視光を反射することが好ましい。下部電極８３１は可視光を透過する。発光素子８３０と重なる着色層８４５を設ける位置は、特に限定されず、例えば、絶縁層８１７ａと絶縁層８１７ｂの間、又は絶縁層８１５と絶縁層８１７ａの間等に設けることができる。
【０２６９】
駆動回路部８０６は、接着層７０３及び絶縁層７０５を介して基板７０１上にトランジスタを複数有する。図２０（Ａ）では、駆動回路部８０６が有するトランジスタのうち、２つのトランジスタを示している。
【０２７０】
絶縁層７０５と基板７０１は接着層７０３によって貼り合わされている。絶縁層７０５に防湿性の高い膜を用いると、発光素子８３０、トランジスタ８２０、及びトランジスタ８２４に水等の不純物が侵入することを抑制でき、発光パネルの信頼性が高くなるため好ましい。
【０２７１】
導電層８５７は、駆動回路部８０６に外部からの信号又は電位を伝達する外部入力端子と電気的に接続する。ここでは、外部入力端子としてＦＰＣ８０８を設ける例を示している。また、ここでは、導電層８５７を、導電層８５６と同一の材料、同一の工程で作製した例を示す。
【０２７２】
＜具体例５＞
図２０（Ｂ）に具体例１〜４とは異なる発光パネルの例を示す。
【０２７３】
図２０（Ｂ）に示す発光パネルは、基板７０１、接着層７０３、絶縁層７０５、導電層８１４、導電層８５７ａ、導電層８５７ｂ、発光素子８３０、絶縁層８２１、接着層８２２、及び基板７１１を有する。
【０２７４】
導電層８５７ａ及び導電層８５７ｂは、発光パネルの外部接続電極であり、ＦＰＣ等と電気的に接続させることができる。
【０２７５】
発光素子８３０は、下部電極８３１、ＥＬ層８３３、及び上部電極８３５を有する。下部電極８３１の端部は、絶縁層８２１で覆われている。発光素子８３０はボトムエミッション型、トップエミッション型、又はデュアルエミッション型である。光を取り出す側の電極、基板、絶縁層等は、それぞれ可視光を透過する。導電層８１４は、下部電極８３１と電気的に接続する。
【０２７６】
光を取り出す側の基板は、光取り出し構造として、半球レンズ、マイクロレンズアレイ、凹凸構造が施されたフィルム、光拡散フィルム等を有していてもよい。例えば、樹脂基板上に上記レンズ又はフィルムを、該基板又は該レンズもしくはフィルムと同程度の屈折率を有する接着剤等を用いて接着することで、光取り出し構造を有する基板を形成することができる。
【０２７７】
導電層８１４は必ずしも設ける必要は無いが、下部電極８３１の抵抗に起因する電圧降下を抑制できるため、設けることが好ましい。また、同様の目的で、上部電極８３５と電気的に接続する導電層を絶縁層８２１上、ＥＬ層８３３上、又は上部電極８３５上などに設けてもよい。
【０２７８】
導電層８１４は、銅、チタン、タンタル、タングステン、モリブデン、クロム、ネオジム、スカンジウム、ニッケル、アルミニウムから選ばれた材料又はこれらを主成分とする合金材料等を用いて、単層で又は積層して形成することができる。導電層８１４の膜厚は、例えば、０．１μｍ以上３μｍ以下とすることができ、好ましくは、０．１μｍ以上０．５μｍ以下である。
【０２７９】
＜材料の一例＞
次に、発光パネルに用いることができる材料等を説明する。なお、本明細書中で先に説明した構成については説明を省略する場合がある。
【０２８０】
基板には、ガラス、石英、有機樹脂、金属、合金などの材料を用いることができる。発光素子からの光を取り出す側の基板は、該光を透過する材料を用いる。
【０２８１】
特に、可撓性基板を用いることが好ましい。例えば、有機樹脂、又は可撓性を有する程度の厚さのガラス、金属、もしくは合金を用いることができる。
【０２８２】
ガラスに比べて有機樹脂は比重が小さいため、可撓性基板として有機樹脂を用いると、ガラスを用いる場合に比べて発光パネルを軽量化でき、好ましい。
【０２８３】
基板には、靱性が高い材料を用いることが好ましい。これにより、耐衝撃性に優れ、破損しにくい発光パネルを実現できる。例えば、有機樹脂基板、又は、厚さの薄い金属基板もしくは合金基板を用いることで、ガラス基板を用いる場合に比べて、軽量であり、破損しにくい発光パネルを実現できる。
【０２８４】
金属材料及び合金材料は、それぞれ、熱伝導性が高く、基板全体に熱を容易に伝導できるため、発光パネルの局所的な温度上昇を抑制することができ、好ましい。金属材料又は合金材料を用いた基板の厚さは、１０μｍ以上２００μｍ以下が好ましく、２０μｍ以上５０μｍ以下であることがより好ましい。
【０２８５】
金属基板及び合金基板を構成する材料としては、特に限定はないが、例えば、アルミニウム、銅、ニッケル、又は、アルミニウム合金もしくはステンレス等の金属の合金などを好適に用いることができる。
【０２８６】
また、基板に、熱放射率が高い材料を用いると発光パネルの表面温度が高くなることを抑制でき、発光パネルの破壊又は信頼性の低下を抑制できる。例えば、基板を金属基板と熱放射率の高い層（例えば、金属酸化物又はセラミック材料を用いることができる）の積層構造としてもよい。
【０２８７】
可撓性及び透光性を有する材料としては、例えば、実施の形態１で例示した保護基板１３２の材料が挙げられる。
【０２８８】
可撓性基板としては、上記材料を用いた層が、装置の表面を傷などから保護するハードコート層（例えば、窒化シリコン層など）、又は押圧を分散可能な材質の層（例えば、アラミド樹脂層など）等と積層されて構成されていてもよい。
【０２８９】
可撓性基板は、複数の層を積層して用いることもできる。特に、ガラス層を有する構成とすると、水又は酸素に対するバリア性を向上させ、信頼性の高い発光パネルとすることができる。
【０２９０】
例えば、発光素子に近い側からガラス層、接着層、及び有機樹脂層を積層した可撓性基板を用いることができる。当該ガラス層の厚さとしては２０μｍ以上２００μｍ以下、好ましくは２５μｍ以上１００μｍ以下とする。このような厚さのガラス層は、水又は酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層を設けることにより、ガラス層の割れ又はクラックを抑制し、機械的強度を向上させることができる。このようなガラス材料と有機樹脂の複合材料を基板に適用することにより、極めて信頼性が高いフレキシブルな発光パネルとすることができる。
【０２９１】
接着層には、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０２９２】
また、上記樹脂に乾燥剤を含んでいてもよい。例えば、アルカリ土類金属の酸化物（酸化カルシウム又は酸化バリウム等）のように、化学吸着によって水分を吸着する物質を用いることができる。または、ゼオライトもしくはシリカゲル等のように、物理吸着によって水分を吸着する物質を用いてもよい。乾燥剤が含まれていると、水分などの不純物が機能素子に侵入することを抑制でき、発光パネルの信頼性が向上するため好ましい。
【０２９３】
また、上記樹脂に屈折率の高いフィラー又は光散乱部材を混合することにより、発光素子からの光取り出し効率を向上させることができる。例えば、酸化チタン、酸化バリウム、ゼオライト、ジルコニウム等を用いることができる。
【０２９４】
絶縁層７０５及び絶縁層７１５としては、それぞれ、防湿性の高い絶縁膜を用いることが好ましい。または、絶縁層７０５及び絶縁層７１５は、それぞれ、不純物の発光素子への拡散を防ぐ機能を有していることが好ましい。
【０２９５】
防湿性の高い絶縁膜としては、窒化シリコン膜、窒化酸化シリコン膜等の窒素と珪素を含む膜、及び窒化アルミニウム膜等の窒素とアルミニウムを含む膜等が挙げられる。また、酸化シリコン膜、酸化窒化シリコン膜、酸化アルミニウム膜等を用いてもよい。
【０２９６】
例えば、防湿性の高い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０２９７】
発光パネルにおいて、絶縁層７０５又は絶縁層７１５の少なくとも一方は、発光素子の発光を透過する必要がある。絶縁層７０５又は絶縁層７１５のうち、発光素子の発光を透過する側の絶縁層は、他方の絶縁層よりも、波長４００ｎｍ以上８００ｎｍ以下における光の透過率の平均が高いことが好ましい。
【０２９８】
絶縁層７０５及び絶縁層７１５は、それぞれ、酸素、窒素、及びシリコンを有することが好ましい。例えば、絶縁層７０５及び絶縁層７１５は、それぞれ、酸化窒化シリコンを有することが好ましい。また、絶縁層７０５及び絶縁層７１５は、それぞれ、窒化シリコン又は窒化酸化シリコンを有することが好ましい。また、絶縁層７０５及び絶縁層７１５は、それぞれ、酸化窒化シリコン膜及び窒化シリコン膜の積層構造を有し、該酸化窒化シリコン膜及び該窒化シリコン膜は接することが好ましい。酸化窒化シリコン膜と、窒化シリコン膜と、を交互に積層し、逆位相の干渉が可視領域で多く起こるようにすることで、積層体の可視光の透過率を高めることができる。
【０２９９】
発光パネルが有するトランジスタの構造は特に限定されない。例えば、スタガ型のトランジスタとしてもよいし、逆スタガ型のトランジスタとしてもよい。また、トップゲート型又はボトムゲート型のいずれのトランジスタ構造としてもよい。トランジスタに用いる半導体材料は特に限定されず、例えば、シリコン、ゲルマニウム、有機半導体等が挙げられる。又は、Ｉｎ−Ｇａ−Ｚｎ系金属酸化物などの、インジウム、ガリウム、亜鉛のうち少なくとも一つを含む酸化物半導体を用いてもよい。
【０３００】
トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０３０１】
本発明の一態様では、トランジスタに用いる半導体材料として、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）を用いることが好ましい。ＣＡＡＣ−ＯＳは非晶質とは異なり、欠陥準位が少なく、トランジスタの信頼性を高めることができる。また、ＣＡＡＣ−ＯＳは結晶粒界が確認されないという特徴を有するため、大面積に安定で均一な膜を形成することが可能で、また可撓性を有する発光装置を湾曲させたときの応力によってＣＡＡＣ−ＯＳ膜にクラックが生じにくい。
【０３０２】
ＣＡＡＣ−ＯＳは、膜面に対して、結晶のｃ軸が概略垂直配向した結晶性酸化物半導体のことである。酸化物半導体の結晶構造としては他にナノスケールの微結晶集合体であるｎａｎｏ−ｃｒｙｓｔａｌ（ｎｃ）など、単結晶とは異なる多彩な構造が存在することが確認されている。ＣＡＡＣ−ＯＳは、単結晶よりも結晶性が低く、ｎｃに比べて結晶性が高い。
【０３０３】
トランジスタの特性安定化等のため、下地膜を設けることが好ましい。下地膜としては、酸化シリコン膜、窒化シリコン膜、酸化窒化シリコン膜、窒化酸化シリコン膜などの無機絶縁膜を用い、単層で又は積層して作製することができる。下地膜はスパッタリング法、ＣＶＤ（Ｃｈｅｍｉｃａｌ  Ｖａｐｏｒ  Ｄｅｐｏｓｉｔｉｏｎ）法（プラズマＣＶＤ法、熱ＣＶＤ法、ＭＯＣＶＤ（Ｍｅｔａｌ  Ｏｒｇａｎｉｃ  ＣＶＤ）法など）、ＡＬＤ（Ａｔｏｍｉｃ  Ｌａｙｅｒ  Ｄｅｐｏｓｉｔｉｏｎ）法、塗布法、印刷法等を用いて形成できる。なお、下地膜は、必要で無ければ設けなくてもよく、この場合、絶縁層７０５がトランジスタの下地膜を兼ねることができる。
【０３０４】
発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。
【０３０５】
発光素子は、トップエミッション型、ボトムエミッション型、デュアルエミッション型のいずれであってもよい。光を取り出す側の電極には、可視光を透過する導電膜を用いる。また、光を取り出さない側の電極には、可視光を反射する導電膜を用いることが好ましい。
【０３０６】
可視光を透過する導電膜は、例えば、酸化インジウム、インジウム錫酸化物（ＩＴＯ：Ｉｎｄｉｕｍ  Ｔｉｎ  Ｏｘｉｄｅ）、インジウム亜鉛酸化物、酸化亜鉛（ＺｎＯ）、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電層として用いることができる。例えば、銀とマグネシウムの合金とＩＴＯの積層膜などを用いると、導電性を高めることができるため好ましい。また、グラフェン等を用いてもよい。
【０３０７】
可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料又は合金に、ランタン、ネオジム、又はゲルマニウム等が添加されていてもよい。また、アルミニウムとチタンの合金、アルミニウムとニッケルの合金、アルミニウムとネオジムの合金、アルミニウム、ニッケル、及びランタンの合金（Ａｌ−Ｎｉ−Ｌａ）等のアルミニウムを含む合金（アルミニウム合金）、銀と銅の合金、銀とパラジウムと銅の合金（Ａｇ−Ｐｄ−Ｃｕ、ＡＰＣとも記す）、又は銀とマグネシウムの合金等の銀を含む合金を用いて形成することができる。銀と銅を含む合金は、耐熱性が高いため好ましい。さらに、アルミニウム合金膜に接する金属膜又は金属酸化物膜を積層することで、アルミニウム合金膜の酸化を抑制することができる。該金属膜、金属酸化物膜の材料としては、チタン、酸化チタンなどが挙げられる。また、上記可視光を透過する導電膜と金属材料からなる膜とを積層してもよい。例えば、銀とＩＴＯの積層膜、銀とマグネシウムの合金とＩＴＯの積層膜などを用いることができる。
【０３０８】
電極は、それぞれ、蒸着法又はスパッタリング法を用いて形成することができる。そのほか、インクジェット法などの吐出法、スクリーン印刷法などの印刷法、又はメッキ法を用いて形成することができる。
【０３０９】
下部電極８３１及び上部電極８３５の間に、発光素子の閾値電圧より高い電圧を印加すると、ＥＬ層８３３に陽極側から正孔が注入され、陰極側から電子が注入される。注入された電子と正孔はＥＬ層８３３において再結合し、ＥＬ層８３３に含まれる発光物質が発光する。
【０３１０】
ＥＬ層８３３は少なくとも発光層を有する。ＥＬ層８３３は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有していてもよい。
【０３１１】
ＥＬ層８３３には低分子系化合物及び高分子系化合物のいずれを用いることもでき、無機化合物を含んでいてもよい。ＥＬ層８３３を構成する層は、それぞれ、蒸着法（真空蒸着法を含む）、転写法、印刷法、インクジェット法、塗布法等の方法で形成することができる。
【０３１２】
発光素子８３０は、２以上の発光物質を含んでいてもよい。これにより、例えば、白色発光の発光素子を実現することができる。例えば２以上の発光物質の各々の発光が補色の関係となるように、発光物質を選択することにより白色発光を得ることができる。例えば、Ｒ（赤）、Ｇ（緑）、Ｂ（青）、Ｙ（黄）、又はＯ（橙）等の発光を示す発光物質、又はＲ、Ｇ、Ｂのうち２以上の色のスペクトル成分を含む発光を示す発光物質を用いることができる。例えば、青の発光を示す発光物質と、黄の発光を示す発光物質を用いてもよい。このとき、黄の発光を示す発光物質の発光スペクトルは、緑及び赤のスペクトル成分を含むことが好ましい。また、発光素子８３０の発光スペクトルは、可視領域（例えば３５０ｎｍ以上７５０ｎｍ以下、又は４００ｎｍ以上８００ｎｍ以下など）の範囲内に２以上のピークを有することが好ましい。
【０３１３】
ＥＬ層８３３は、複数の発光層を有していてもよい。ＥＬ層８３３において、複数の発光層は、互いに接して積層されていてもよいし、分離層を介して積層されていてもよい。例えば、蛍光発光層と、燐光発光層との間に、分離層を設けてもよい。
【０３１４】
分離層は、例えば、燐光発光層中で生成する燐光材料の励起状態から蛍光発光層中の蛍光材料へのデクスター機構によるエネルギー移動（特に三重項エネルギー移動）を防ぐために設けることができる。分離層は数ｎｍ程度の厚さがあればよい。具体的には、０．１ｎｍ以上２０ｎｍ以下、あるいは１ｎｍ以上１０ｎｍ以下、あるいは１ｎｍ以上５ｎｍ以下である。分離層は、単一の材料（好ましくはバイポーラ性の物質）、又は複数の材料（好ましくは正孔輸送性材料及び電子輸送性材料）を含む。
【０３１５】
分離層は、該分離層と接する発光層に含まれる材料を用いて形成してもよい。これにより、発光素子の作製が容易になり、また、駆動電圧が低減される。例えば、燐光発光層が、ホスト材料、アシスト材料、及び燐光材料（ゲスト材料）からなる場合、分離層を、該ホスト材料及びアシスト材料で形成してもよい。上記構成を別言すると、分離層は、燐光材料を含まない領域を有し、燐光発光層は、燐光材料を含む領域を有する。これにより、分離層と燐光発光層とを燐光材料の有無で蒸着することが可能となる。また、このような構成とすることで、分離層と燐光発光層を同じチャンバーで成膜することが可能となる。これにより、製造コストを削減することができる。
【０３１６】
また、発光素子８３０は、ＥＬ層を１つ有するシングル素子であってもよいし、電荷発生層を介して積層されたＥＬ層を複数有するタンデム素子であってもよい。
【０３１７】
発光素子は、一対の防湿性の高い絶縁膜の間に設けられていることが好ましい。これにより、発光素子に水等の不純物が侵入することを抑制でき、発光パネルの信頼性の低下を抑制できる。具体的には、上記のように、絶縁層７０５及び絶縁層７１５として、防湿性の高い絶縁膜を用いると、発光素子が一対の防湿性の高い絶縁膜の間に位置し、発光パネルの信頼性の低下を抑制できる。
【０３１８】
絶縁層８１５としては、例えば、酸化シリコン膜、酸化窒化シリコン膜、酸化アルミニウム膜などの無機絶縁膜を用いることができる。また、絶縁層８１７、絶縁層８１７ａ、及び絶縁層８１７ｂとしては、例えば、ポリイミド、アクリル、ポリアミド、ポリイミドアミド、ベンゾシクロブテン系樹脂等の有機材料をそれぞれ用いることができる。また、低誘電率材料（ｌｏｗ−ｋ材料）等を用いることができる。また、絶縁膜を複数積層させることで、各絶縁層を形成してもよい。
【０３１９】
絶縁層８２１としては、有機絶縁材料又は無機絶縁材料を用いて形成する。樹脂としては、例えば、ポリイミド樹脂、ポリアミド樹脂、アクリル樹脂、シロキサン樹脂、エポキシ樹脂、又はフェノール樹脂等を用いることができる。特に感光性の樹脂材料を用い、下部電極８３１上に開口部を形成し、その開口部の側壁が連続した曲率を持って形成される傾斜面となるように形成することが好ましい。
【０３２０】
絶縁層８２１の形成方法は、特に限定されない。例えば、フォトリソグラフィ法、スパッタ法、蒸着法、液滴吐出法（インクジェット法等）、印刷法（スクリーン印刷、オフセット印刷等）等を用いることができる。
【０３２１】
スペーサ８２３は、無機絶縁材料、有機絶縁材料、金属材料等を用いて形成することができる。例えば、無機絶縁材料又は有機絶縁材料としては、上記絶縁層に用いることができる各種材料が挙げられる。金属材料としては、チタン、アルミニウムなどを用いることができる。導電材料を含むスペーサ８２３と上部電極８３５とを電気的に接続させる構成とすることで、上部電極８３５の抵抗に起因した電位降下を抑制できる。また、スペーサ８２３は、順テーパ形状であっても逆テーパ形状であってもよい。
【０３２２】
トランジスタの電極もしくは配線、又は発光素子の補助電極等として機能する、発光パネルに用いる導電層は、例えば、モリブデン、チタン、クロム、タンタル、タングステン、アルミニウム、銅、ネオジム、スカンジウム等の金属材料又はこれらの元素を含む合金材料を用いて、単層で又は積層して形成することができる。また、導電層は、導電性の金属酸化物を用いて形成してもよい。導電性の金属酸化物としては酸化インジウム（Ｉｎ２Ｏ３等）、酸化スズ（ＳｎＯ２等）、ＺｎＯ、ＩＴＯ、インジウム亜鉛酸化物（Ｉｎ２Ｏ３−ＺｎＯ等）又はこれらの金属酸化物材料に酸化シリコンを含ませたものを用いることができる。
【０３２３】
着色層は特定の波長帯域の光を透過する有色層である。例えば、赤色、緑色、青色、又は黄色の波長帯域の光を透過するカラーフィルタなどを用いることができる。各着色層は、様々な材料を用いて、印刷法、インクジェット法、フォトリソグラフィ法を用いたエッチング方法などでそれぞれ所望の位置に形成する。また、白色の副画素では、発光素子と重ねて透明等の樹脂を配置してもよい。
【０３２４】
遮光層は、隣接する着色層の間に設けられている。遮光層は隣接する発光素子からの光を遮光し、隣接する発光素子間における混色を抑制する。ここで、着色層の端部を、遮光層と重なるように設けることにより、光漏れを抑制することができる。遮光層としては、発光素子からの発光を遮る材料を用いることができ、例えば、金属材料、又は、顔料もしくは染料を含む樹脂材料を用いてブラックマトリクスを形成することができる。なお、遮光層は、駆動回路部などの発光部以外の領域に設けると、導波光などによる意図しない光漏れを抑制できるため好ましい。
【０３２５】
また、着色層及び遮光層を覆うオーバーコートを設けてもよい。オーバーコートを設けることで、着色層に含有された不純物等の発光素子への拡散を防止することができる。オーバーコートは、発光素子からの発光を透過する材料から構成され、例えば窒化シリコン膜、酸化シリコン膜等の無機絶縁膜、又は、アクリル膜、ポリイミド膜等の有機絶縁膜を用いることができ、有機絶縁膜と無機絶縁膜との積層構造としてもよい。
【０３２６】
また、接着層の材料を着色層及び遮光層上に塗布する場合、オーバーコートの材料として接着層の材料に対してぬれ性の高い材料を用いることが好ましい。例えば、オーバーコートとして、ＩＴＯ膜などの酸化物導電膜、又は透光性を有する程度に薄いＡｇ膜等の金属膜を用いることが好ましい。
【０３２７】
接続体としては、様々な異方性導電フィルム（ＡＣＦ：Ａｎｉｓｏｔｒｏｐｉｃ  Ｃｏｎｄｕｃｔｉｖｅ  Ｆｉｌｍ）、又は異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０３２８】
前述の通り、本発明の一態様の表示システムには、発光パネル、表示パネル、タッチパネル等の各種パネルを適用することができる。
【０３２９】
表示素子の一例としては、ＥＬ素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、液晶素子、電気泳動素子、ＭＥＭＳ（マイクロ・エレクトロ・メカニカル・システム）を用いた表示素子等が挙げられる。
【０３３０】
なお、本発明の一態様の発光パネルは、表示パネルとして用いてもよいし、照明パネルとして用いてもよい。例えば、バックライト又はフロントライトなどの光源、つまり、表示パネルのための照明パネルとして活用してもよい。
【０３３１】
以上のように、画像処理装置と、本実施の形態で例示した、可視光を透過する領域を有する発光パネルと、を用いることで、発光パネルの継ぎ目が認識されにくく、表示ムラが抑制された、大型の表示システムを実現することができる。
【０３３２】
本実施の形態は、他の実施の形態と適宜組み合わせることができる。
【０３３３】
（実施の形態３）
本実施の形態では、本発明の一態様の表示システムに用いることができる表示パネルの一例である、タッチパネルについて図面を用いて説明する。なお、タッチパネルが有する構成要素のうち、実施の形態２で説明した発光パネルと同様の構成要素については、先の記載も参照することができる。また、本実施の形態では、発光素子を用いたタッチパネルを例示するが、これに限られない。
【０３３４】
＜構成例１＞
図２１（Ａ）はタッチパネルの上面図である。図２１（Ｂ）は図２１（Ａ）の一点鎖線Ａ−Ｂ間及び一点鎖線Ｃ−Ｄ間の断面図である。図２１（Ｃ）は図２１（Ａ）の一点鎖線Ｅ−Ｆ間の断面図である。
【０３３５】
図２１（Ａ）に示すタッチパネル３９０は、表示部３０１（入力部も兼ねる）、走査線駆動回路３０３ｇ（１）、撮像画素駆動回路３０３ｇ（２）、画像信号線駆動回路３０３ｓ（１）、及び撮像信号線駆動回路３０３ｓ（２）を有する。
【０３３６】
表示部３０１は、複数の画素３０２と、複数の撮像画素３０８と、を有する。
【０３３７】
画素３０２は、複数の副画素を有する。各副画素は、発光素子及び画素回路を有する。
【０３３８】
画素回路は、発光素子を駆動する電力を供給することができる。画素回路は、選択信号を供給することができる配線と電気的に接続される。また、画素回路は、画像信号を供給することができる配線と電気的に接続される。
【０３３９】
走査線駆動回路３０３ｇ（１）は、選択信号を画素３０２に供給することができる。
【０３４０】
画像信号線駆動回路３０３ｓ（１）は、画像信号を画素３０２に供給することができる。
【０３４１】
撮像画素３０８を用いてタッチセンサを構成することができる。具体的には、撮像画素３０８は、表示部３０１に触れる指等を検知することができる。
【０３４２】
撮像画素３０８は、光電変換素子及び撮像画素回路を有する。
【０３４３】
撮像画素回路は、光電変換素子を駆動することができる。撮像画素回路は、制御信号を供給することができる配線と電気的に接続される。また、撮像画素回路は、電源電位を供給することができる配線と電気的に接続される。
【０３４４】
制御信号としては、例えば、記録された撮像信号を読み出す撮像画素回路を選択することができる信号、撮像画素回路を初期化することができる信号、及び撮像画素回路が光を検知する時間を決定することができる信号などを挙げることができる。
【０３４５】
撮像画素駆動回路３０３ｇ（２）は、制御信号を撮像画素３０８に供給することができる。
【０３４６】
撮像信号線駆動回路３０３ｓ（２）は、撮像信号を読み出すことができる。
【０３４７】
図２１（Ｂ）、（Ｃ）に示すように、タッチパネル３９０は、基板７０１、接着層７０３、絶縁層７０５、基板７１１、接着層７１３、及び絶縁層７１５を有する。また、基板７０１及び基板７１１は、接着層３６０で貼り合わされている。
【０３４８】
基板７０１と絶縁層７０５は接着層７０３で貼り合わされている。また、基板７１１と絶縁層７１５は接着層７１３で貼り合わされている。
【０３４９】
基板、接着層、及び絶縁層に用いることができる材料については実施の形態２を参照することができる。
【０３５０】
画素３０２は、副画素３０２Ｒ、副画素３０２Ｇ、及び副画素３０２Ｂを有する（図２１（Ｃ））。
【０３５１】
例えば副画素３０２Ｒは、発光素子３５０Ｒ及び画素回路を有する。画素回路は、発光素子３５０Ｒに電力を供給することができるトランジスタ３０２ｔを含む。また、副画素３０２Ｒは、さらに、光学素子（例えば赤色の光を透過する着色層３６７Ｒ）を有する。
【０３５２】
発光素子３５０Ｒは、下部電極３５１Ｒ、ＥＬ層３５３、及び上部電極３５２をこの順で積層して有する（図２１（Ｃ））。
【０３５３】
ＥＬ層３５３は、第１のＥＬ層３５３ａ、中間層３５４、及び第２のＥＬ層３５３ｂをこの順で積層して有する。
【０３５４】
なお、特定の波長の光を効率よく取り出せるように、発光素子３５０Ｒにマイクロキャビティ構造を配設することができる。具体的には、特定の光を効率よく取り出せるように配置された可視光を反射する膜及び半反射・半透過する膜の間にＥＬ層を配置してもよい。
【０３５５】
例えば、副画素３０２Ｒは、発光素子３５０Ｒと着色層３６７Ｒに接する接着層３６０を有する。
【０３５６】
着色層３６７Ｒは発光素子３５０Ｒと重なる位置にある。これにより、発光素子３５０Ｒが発する光の一部は、接着層３６０及び着色層３６７Ｒを透過して、図中の矢印に示すように副画素３０２Ｒの外部に射出される。
【０３５７】
タッチパネル３９０は、遮光層３６７ＢＭを有する。遮光層３６７ＢＭは、着色層（例えば着色層３６７Ｒ）を囲むように設けられている。
【０３５８】
タッチパネル３９０は、反射防止層３６７ｐを表示部３０１に重なる位置に有する。反射防止層３６７ｐとして、例えば円偏光板を用いることができる。
【０３５９】
タッチパネル３９０は、絶縁層３２１を有する。絶縁層３２１はトランジスタ３０２ｔ等を覆っている。なお、絶縁層３２１は画素回路又は撮像画素回路に起因する凹凸を平坦化するための層として用いることができる。また、不純物のトランジスタ３０２ｔ等への拡散を抑制することができる絶縁層で、トランジスタ３０２ｔ等を覆うことが好ましい。
【０３６０】
タッチパネル３９０は、下部電極３５１Ｒの端部に重なる隔壁３２８を有する。また、基板７０１と基板７１１の間隔を制御するスペーサ３２９を、隔壁３２８上に有する。
【０３６１】
画像信号線駆動回路３０３ｓ（１）は、トランジスタ３０３ｔ及び容量３０３ｃを含む。なお、駆動回路は画素回路と同一の工程で同一基板上に形成することができる。図２１（Ｂ）に示すようにトランジスタ３０３ｔは絶縁層３２１上に第２のゲート３０４を有していてもよい。第２のゲート３０４はトランジスタ３０３ｔのゲートと電気的に接続されていてもよいし、これらに異なる電位が与えられていてもよい。また、必要であれば、第２のゲート３０４をトランジスタ３０８ｔ、トランジスタ３０２ｔ等に設けてもよい。
【０３６２】
撮像画素３０８は、光電変換素子３０８ｐ及び撮像画素回路を有する。撮像画素回路は、光電変換素子３０８ｐに照射された光を検知することができる。撮像画素回路は、トランジスタ３０８ｔを含む。
【０３６３】
例えばｐｉｎ型のフォトダイオードを光電変換素子３０８ｐに用いることができる。
【０３６４】
タッチパネル３９０は、信号を供給することができる配線３１１を有し、端子３１９が配線３１１に設けられている。画像信号及び同期信号等の信号を供給することができるＦＰＣ３０９が端子３１９に電気的に接続されている。ＦＰＣ３０９にはプリント配線基板（ＰＷＢ）が取り付けられていてもよい。
【０３６５】
なお、トランジスタ３０２ｔ、トランジスタ３０３ｔ、トランジスタ３０８ｔ等のトランジスタは、同一の工程で形成することができる。または、それぞれ異なる工程で形成してもよい。
【０３６６】
＜構成例２＞
図２２（Ａ）、（Ｂ）は、タッチパネル５０５の斜視図である。なお明瞭化のため、代表的な構成要素を示す。図２３は、図２２（Ａ）に示す一点鎖線Ｘ１−Ｘ２間の断面図である。
【０３６７】
図２２（Ａ）、（Ｂ）に示すように、タッチパネル５０５は、表示部５０１、走査線駆動回路３０３ｇ（１）、及びタッチセンサ５９５等を有する。また、タッチパネル５０５は、基板７０１、基板７１１、及び基板５９０を有する。
【０３６８】
タッチパネル５０５は、複数の画素及び複数の配線３１１を有する。複数の配線３１１は、画素に信号を供給することができる。複数の配線３１１は、基板７０１の外周部にまで引き回され、その一部が端子３１９を構成している。端子３１９はＦＰＣ５０９（１）と電気的に接続する。
【０３６９】
タッチパネル５０５は、タッチセンサ５９５及び複数の配線５９８を有する。複数の配線５９８は、タッチセンサ５９５と電気的に接続される。複数の配線５９８は基板５９０の外周部に引き回され、その一部は端子を構成する。そして、当該端子はＦＰＣ５０９（２）と電気的に接続される。なお、図２２（Ｂ）では明瞭化のため、基板５９０の裏面側（基板７０１と対向する面側）に設けられるタッチセンサ５９５の電極及び配線等を実線で示している。
【０３７０】
タッチセンサ５９５には、例えば静電容量方式のタッチセンサを適用できる。静電容量方式としては、表面型静電容量方式、投影型静電容量方式等がある。ここでは、投影型静電容量方式のタッチセンサを適用する場合を示す。
【０３７１】
投影型静電容量方式としては、自己容量方式、相互容量方式などがある。相互容量方式を用いると同時多点検出が可能となるため好ましい。
【０３７２】
なお、タッチセンサ５９５には、指等の検知対象の近接又は接触を検知することができるさまざまなセンサを適用することができる。
【０３７３】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０３７４】
電極５９２は、図２２（Ａ）、（Ｂ）に示すように、一方向に繰り返し配置された複数の四辺形が角部で接続された形状を有する。
【０３７５】
電極５９１は四辺形であり、電極５９２が延在する方向と交差する方向に繰り返し配置されている。なお、複数の電極５９１は、一の電極５９２と必ずしも直交する方向に配置される必要はなく、９０度未満の角度をなすように配置されてもよい。
【０３７６】
配線５９４は電極５９２と交差して設けられている。配線５９４は、電極５９２の１つを挟む２つの電極５９１を電気的に接続する。このとき、電極５９２と配線５９４の交差部の面積ができるだけ小さくなる形状が好ましい。これにより、電極が設けられていない領域の面積を低減でき、光の透過率のムラを低減できる。その結果、タッチセンサ５９５を透過する光の輝度ムラを低減することができる。
【０３７７】
なお、電極５９１、電極５９２の形状はこれに限られず、様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、光の透過率の異なる領域の面積を低減できるため好ましい。
【０３７８】
図２３（Ａ）に示すように、タッチパネル５０５は、基板７０１、接着層７０３、絶縁層７０５、基板７１１、接着層７１３、及び絶縁層７１５を有する。また、基板７０１及び基板７１１は、接着層３６０で貼り合わされている。
【０３７９】
接着層５９７は、タッチセンサ５９５が表示部５０１に重なるように、基板５９０を基板７１１に貼り合わせている。接着層５９７は、透光性を有する。
【０３８０】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０３８１】
また、電極５９１、電極５９２、配線５９４などの導電膜、つまり、タッチパネルを構成する配線又は電極に用いる材料の抵抗値が低いことが望ましい。一例として、ＩＴＯ、インジウム亜鉛酸化物、ＺｎＯ、銀、銅、アルミニウム、カーボンナノチューブ、グラフェンなどを用いてもよい。さらに、非常に細くした（例えば、直径が数ナノメートル）、多数の導電体を用いて構成される金属ナノワイヤを用いてもよい。一例としては、Ａｇナノワイヤ、Ｃｕナノワイヤ、又はＡｌナノワイヤ等を用いてもよい。Ａｇナノワイヤの場合、例えば、８９％以上の光の透過率、４０Ω／□以上１００Ω／□以下のシート抵抗値を実現することができる。なお、光の透過率が高いため、表示素子に用いる電極、例えば、画素電極又は共通電極に、金属ナノワイヤ、カーボンナノチューブ、グラフェンなどを用いてもよい。
【０３８２】
透光性を有する導電性材料を基板５９０上にスパッタリング法により成膜した後、フォトリソグラフィ法等の様々なパターニング技術により、不要な部分を除去して、電極５９１及び電極５９２を形成することができる。
【０３８３】
電極５９１及び電極５９２は絶縁層５９３で覆われている。また、電極５９１に達する開口が絶縁層５９３に設けられ、配線５９４が隣接する電極５９１を電気的に接続する。透光性の導電性材料は、タッチパネルの開口率を高まることができるため、配線５９４に好適に用いることができる。また、電極５９１及び電極５９２より導電性の高い材料は、電気抵抗を低減できるため配線５９４に好適に用いることができる。
【０３８４】
なお、絶縁層５９３及び配線５９４を覆う絶縁層を設けて、タッチセンサ５９５を保護することができる。
【０３８５】
また、接続層５９９は、配線５９８とＦＰＣ５０９（２）を電気的に接続する。
【０３８６】
表示部５０１は、マトリクス状に配置された複数の画素を有する。画素は、構成例１と同様であるため、説明を省略する。
【０３８７】
なお、様々なトランジスタをタッチパネルに適用できる。ボトムゲート型のトランジスタを適用する場合の構成を、図２３（Ａ）、（Ｂ）に示す。
【０３８８】
例えば、酸化物半導体、アモルファスシリコン等を含む半導体層を、図２３（Ａ）に示すトランジスタ３０２ｔ及びトランジスタ３０３ｔに適用することができる。
【０３８９】
例えば、レーザーアニールなどの処理により結晶化させた多結晶シリコンを含む半導体層を、図２３（Ｂ）に示すトランジスタ３０２ｔ及びトランジスタ３０３ｔに適用することができる。
【０３９０】
また、トップゲート型のトランジスタを適用する場合の構成を、図２３（Ｃ）に示す。
【０３９１】
例えば、多結晶シリコン又は単結晶シリコン基板等から転置された単結晶シリコン膜等を含む半導体層を、図２３（Ｃ）に示すトランジスタ３０２ｔ及びトランジスタ３０３ｔに適用することができる。
【０３９２】
＜構成例３＞
図２４は、タッチパネル５０５Ｂの断面図である。本実施の形態で説明するタッチパネル５０５Ｂは、画像をトランジスタが設けられている側に表示する点及びタッチセンサが表示部の基板７０１側に設けられている点が、構成例２のタッチパネル５０５とは異なる。ここでは異なる構成について詳細に説明し、同様の構成を用いることができる部分は、上記の説明を援用する。
【０３９３】
着色層３６７Ｒは発光素子３５０Ｒと重なる位置にある。また、図２４（Ａ）に示す発光素子３５０Ｒは、トランジスタ３０２ｔが設けられている側に光を射出する。これにより、発光素子３５０Ｒが発する光の一部は着色層３６７Ｒを透過して、図中に示す矢印の方向のタッチパネル５０５Ｂの外部に射出される。
【０３９４】
タッチパネル５０５Ｂは、光を射出する方向に遮光層３６７ＢＭを有する。遮光層３６７ＢＭは、着色層（例えば着色層３６７Ｒ）を囲むように設けられている。
【０３９５】
タッチセンサ５９５は、基板７１１側でなく、基板７０１側に設けられている（図２４（Ａ））。
【０３９６】
接着層５９７は、タッチセンサ５９５が表示部に重なるように、基板５９０を基板７０１に貼り合わせている。接着層５９７は、透光性を有する。
【０３９７】
なお、ボトムゲート型のトランジスタを表示部５０１に適用する場合の構成を、図２４（Ａ）、（Ｂ）に示す。
【０３９８】
例えば、酸化物半導体、アモルファスシリコン等を含む半導体層を、図２４（Ａ）に示すトランジスタ３０２ｔ及びトランジスタ３０３ｔに適用することができる。
【０３９９】
例えば、多結晶シリコン等を含む半導体層を、図２４（Ｂ）に示すトランジスタ３０２ｔ及びトランジスタ３０３ｔに適用することができる。
【０４００】
また、トップゲート型のトランジスタを適用する場合の構成を、図２４（Ｃ）に示す。
【０４０１】
例えば、多結晶シリコン又は単結晶シリコン基板等から転置された単結晶シリコン膜等を含む半導体層を、図２４（Ｃ）に示すトランジスタ３０２ｔ及びトランジスタ３０３ｔに適用することができる。
【０４０２】
＜構成例４＞
図２５に示すように、タッチパネル５００ＴＰは、表示部５００及び入力部６００を重ねて有する。図２６は、図２５に示す一点鎖線Ｚ１−Ｚ２間の断面図である。
【０４０３】
以下に、タッチパネル５００ＴＰを構成する個々の要素について説明する。なお、これらの構成は明確に分離できず、一つの構成が他の構成を兼ねる場合、又は他の構成の一部を含む場合がある。なお、表示部５００に入力部６００が重ねられたタッチパネル５００ＴＰをタッチパネルともいう。
【０４０４】
入力部６００は、マトリクス状に配設される複数の検知ユニット６０２を有する。また、入力部６００は、選択信号線Ｇ１、制御線ＲＥＳ、信号線ＤＬなどを有する。
【０４０５】
選択信号線Ｇ１及び制御線ＲＥＳは、それぞれ、行方向（図中に矢印Ｒで示す）に配置される複数の検知ユニット６０２と電気的に接続される。信号線ＤＬは、列方向（図中に矢印Ｃで示す）に配置される複数の検知ユニット６０２と電気的に接続される。
【０４０６】
検知ユニット６０２は近接又は接触するものを検知して検知信号を供給する。例えば静電容量、照度、磁力、電波又は圧力等を検知して、検知した物理量に基づく情報を供給する。具体的には、容量素子、光電変換素子、磁気検知素子、圧電素子又は共振器等を検知素子に用いることができる。
【０４０７】
検知ユニット６０２は、例えば、近接又は接触するものとの間の静電容量の変化を検知する。
【０４０８】
なお、大気中において、指などの大気より大きな誘電率を有するものが導電膜に近接すると、指と導電膜の間の静電容量が変化する。この静電容量の変化を検知して検知情報を供給することができる。
【０４０９】
例えば、静電容量の変化に伴い容量素子との間で電荷の分配が引き起こされ、容量素子の両端の電極の電圧が変化する。この電圧の変化を検知信号に用いることができる。
【０４１０】
検知ユニット６０２は検知回路を有する。検知回路は、選択信号線Ｇ１、制御線ＲＥＳ又は信号線ＤＬなどに電気的に接続される。
【０４１１】
検知回路は、トランジスタ及び検知素子等を有する。例えば、導電膜と、当該導電膜に電気的に接続される容量素子と、を検知回路に用いることができる。また、容量素子と、当該容量素子に電気的に接続されるトランジスタと、を検知回路に用いることができる。
【０４１２】
検知回路には、例えば、絶縁層６５３と、絶縁層６５３を挟持する第１の電極６５１及び第２の電極６５２と、を有する容量素子６５０を用いることができる（図２６）。容量素子６５０の電極間の電圧は一方の電極に電気的に接続された導電膜にものが近接することにより変化する。
【０４１３】
検知ユニット６０２は、制御信号に基づいて導通状態又は非導通状態にすることができるスイッチを有する。例えば、トランジスタＭ１２をスイッチに用いることができる。
【０４１４】
また、検知信号を増幅するトランジスタを検知ユニット６０２に用いることができる。
【０４１５】
同一の工程で作製することができるトランジスタを、検知信号を増幅するトランジスタ及びスイッチに用いることができる。これにより、作製工程が簡略化された入力部６００を提供できる。
【０４１６】
また、検知ユニットはマトリクス状に配置された複数の窓部６６７を有する。窓部６６７は可視光を透過し、複数の窓部６６７の間に遮光性の層ＢＭを配設してもよい。
【０４１７】
タッチパネル５００ＴＰは、窓部６６７に重なる位置に着色層を有する。着色層は、所定の色の光を透過する。なお、着色層はカラーフィルタということができる。例えば、青色の光を透過する着色層３６７Ｂ、緑色の光を透過する着色層３６７Ｇ、又は赤色の光を透過する着色層３６７Ｒを用いることができる。また、黄色の光を透過する着色層又は白色の光を透過する着色層を用いてもよい。
【０４１８】
表示部５００は、マトリクス状に配置された複数の画素３０２を有する。画素３０２は入力部６００の窓部６６７と重なるように配置されている。画素３０２は、検知ユニット６０２に比べて高い精細度で配設されてもよい。画素は、構成例１と同様であるため、説明を省略する。
【０４１９】
タッチパネル５００ＴＰは、可視光を透過する窓部６６７及びマトリクス状に配設される複数の検知ユニット６０２を有する入力部６００と、窓部６６７に重なる画素３０２を複数有する表示部５００と、を有し、窓部６６７と画素３０２の間に着色層を含んで構成される。また、それぞれの検知ユニットに他の検知ユニットへの干渉を低減することができるスイッチが配設されている。
【０４２０】
これにより、各検知ユニットが検知する検知情報を検知ユニットの位置情報と共に供給することができる。また、画像を表示する画素の位置情報に関連付けて検知情報を供給することができる。また、検知情報を供給させない検知ユニットと信号線を非導通状態にすることで、検知信号を供給させる検知ユニットへの干渉を低減することができる。その結果、利便性又は信頼性に優れたタッチパネル５００ＴＰを提供することができる。
【０４２１】
例えば、タッチパネル５００ＴＰの入力部６００は検知情報を検知して位置情報と共に供給することができる。具体的には、タッチパネル５００ＴＰの使用者は、入力部６００に触れた指等をポインタに用いて様々なジェスチャー（タップ、ドラッグ、スワイプ又はピンチイン等）をすることができる。
【０４２２】
入力部６００は、入力部６００に近接又は接触する指等を検知して、検知した位置又は軌跡等を含む検知情報を供給することができる。
【０４２３】
演算装置は供給された情報が所定の条件を満たすか否かをプログラム等に基づいて判断し、所定のジェスチャーに関連付けられた命令を実行する。
【０４２４】
これにより、入力部６００の使用者は、指等を用いて所定のジェスチャーを供給し、所定のジェスチャーに関連付けられた命令を演算装置に実行させることができる。
【０４２５】
例えば、タッチパネル５００ＴＰの入力部６００は、まず、一の信号線に検知情報を供給することができる複数の検知ユニットから一の検知ユニットＸを選択する。そして、検知ユニットＸを除いた他の検知ユニットと当該一の信号線を非導通状態にする。これにより、他の検知ユニットがもたらす検知ユニットＸへの干渉を低減することができる。
【０４２６】
具体的には、他の検知ユニットの検知素子がもたらす検知ユニットＸの検知素子への干渉を低減できる。
【０４２７】
例えば、容量素子及び当該容量素子の一の電極が電気的に接続された導電膜を検知素子に用いる場合において、他の検知ユニットの導電膜の電位がもたらす、検知ユニットＸの導電膜の電位への干渉を低減することができる。
【０４２８】
これにより、タッチパネル５００ＴＰはその大きさに依存することなく、検知ユニットを駆動して、検知情報を供給させることができる。例えば、ハンドヘルド型に用いることができる大きさから、電子黒板に用いることができる大きさまで、さまざまな大きさのタッチパネル５００ＴＰを提供することができる。
【０４２９】
また、タッチパネル５００ＴＰは、折り畳まれた状態及び展開された状態にすることができる。そして、折り畳まれた状態と展開された状態とで、他の検知ユニットがもたらす検知ユニットＸへの干渉が異なる場合においても、タッチパネル５００ＴＰの状態に依存することなく検知ユニットを駆動して、検知情報を供給させることができる。
【０４３０】
また、タッチパネル５００ＴＰの表示部５００は表示情報を供給されることができる。例えば、演算装置は表示情報を供給することができる。
【０４３１】
以上の構成に加えて、タッチパネル５００ＴＰは以下の構成を有することもできる。
【０４３２】
タッチパネル５００ＴＰは、駆動回路６０３ｇ又は駆動回路６０３ｄを有してもよい。また、ＦＰＣ１と電気的に接続されてもよい。
【０４３３】
駆動回路６０３ｇは例えば所定のタイミングで選択信号を供給することができる。具体的には、選択信号を選択信号線Ｇ１ごとに所定の順番で供給する。また、さまざまな回路を駆動回路６０３ｇに用いることができる。例えば、シフトレジスタ、フリップフロップ回路、又は組み合わせ回路などを用いることができる。
【０４３４】
駆動回路６０３ｄは、検知ユニット６０２が供給する検知信号に基づいて検知情報を供給する。また、さまざまな回路を駆動回路６０３ｄに用いることができる。例えば、検知ユニットに配設された検知回路と電気的に接続されることによりソースフォロワ回路やカレントミラー回路を構成することができる回路を、駆動回路６０３ｄに用いることができる。また、検知信号をデジタル信号に変換するアナログデジタル変換回路を有していてもよい。
【０４３５】
ＦＰＣ１は、タイミング信号、電源電位等を供給し、検知信号を供給される。
【０４３６】
タッチパネル５００ＴＰは、駆動回路５０３ｇ、駆動回路５０３ｓ、配線３１１、又は端子３１９を有してもよい。また、タッチパネル５００ＴＰ（又は駆動回路）は、ＦＰＣ２と電気的に接続されてもよい。
【０４３７】
また、傷の発生を防いでタッチパネル５００ＴＰを保護する保護層６７０を有していてもよい。例えば、セラミックコート層又はハードコート層を保護層６７０に用いることができる。具体的には、酸化アルミニウムを含む層又はＵＶ硬化樹脂を用いることができる。
【０４３８】
本実施の形態は、他の実施の形態と適宜組み合わせることができる。
【０４３９】
（実施の形態４）
本実施の形態では、本発明の一態様の電子機器及び照明装置について、図面を用いて説明する。
【０４４０】
電子機器としては、例えば、テレビジョン装置、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。
【０４４１】
また、本発明の一態様の電子機器又は照明装置は可撓性を有するため、家屋もしくはビルの内壁もしくは外壁、又は、自動車の内装もしくは外装の曲面に沿って組み込むことも可能である。
【０４４２】
また、本発明の一態様の電子機器は、二次電池を有していてもよく、非接触電力伝送を用いて、二次電池を充電することができると好ましい。
【０４４３】
二次電池としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０４４４】
本発明の一態様の電子機器は、アンテナを有していてもよい。アンテナで信号を受信することで、表示部で映像又は情報等の表示を行うことができる。また、電子機器がアンテナ及び二次電池を有する場合、アンテナを、非接触電力伝送に用いてもよい。
【０４４５】
本発明の一態様の表示システムは、表示パネルの数を増やすことにより、表示領域の面積を上限なく大きくすることが可能である。したがって、本発明の一態様の表示システムはデジタルサイネージ又はＰＩＤなどに好適に用いることができる。また、本発明の一態様の表示システムは、表示パネルの配置方法を変えることで、表示領域の外形を様々な形状にすることができる。また、本発明の一態様の画像処理装置を適用することで、表示パネルの継ぎ目を認識しにくくすることができる。したがって、表示領域の表示ムラ又は輝度ムラを抑制することができる。
【０４４６】
図２７（Ａ）では、柱１５及び壁１６に、それぞれ、本発明の一態様の表示システム１０を適用した例を示している。表示システム１０に用いる表示パネルとして、可撓性を有する表示パネルを用いることで、曲面に沿って表示システム１０を設置することが可能となる。
【０４４７】
ここで特に、デジタルサイネージ又はＰＩＤに本発明の一態様の表示システムを用いる場合には、表示パネルにタッチパネルを適用することで、表示領域に画像又は動画を表示するだけでなく観察者が直感的に操作することが可能となるため好ましい。また、路線情報又は交通情報などの情報を提供するための用途に用いる場合には、直感的な操作によりユーザビリティを高めることができる。なお、ビル又は公共施設などの壁面に設置する場合などは、表示パネルにタッチパネルを適用しなくてもよい。
【０４４８】
図２７（Ｂ）〜（Ｅ）に、湾曲した表示部７０００を有する電子機器の一例を示す。表示部７０００はその表示面が湾曲して設けられ、湾曲した表示面に沿って表示を行うことができる。なお、表示部７０００は可撓性を有していてもよい。
【０４４９】
図２７（Ｂ）〜（Ｅ）に示す各電子機器が有する表示部７０００は、本発明の一態様の表示システムを用いて作製される。
【０４５０】
図２７（Ｂ）に携帯電話機の一例を示す。携帯電話機７１００は、筐体７１０１、表示部７０００、操作ボタン７１０３、外部接続ポート７１０４、スピーカ７１０５、マイク７１０６等を有する。
【０４５１】
図２７（Ｂ）に示す携帯電話機７１００は、表示部７０００にタッチセンサを備える。電話を掛ける、或いは文字を入力するなどのあらゆる操作は、指又はスタイラスなどで表示部７０００に触れることで行うことができる。
【０４５２】
また、操作ボタン７１０３の操作により、電源のＯＮ、ＯＦＦ動作、又は表示部７０００に表示される画像の種類を切り替えることができる。例えば、メール作成画面から、メインメニュー画面に切り替えることができる。
【０４５３】
図２７（Ｃ）にテレビジョン装置の一例を示す。テレビジョン装置７２００は、筐体７２０１に表示部７０００が組み込まれている。ここでは、スタンド７２０３により筐体７２０１を支持した構成を示している。
【０４５４】
図２７（Ｃ）に示すテレビジョン装置７２００の操作は、筐体７２０１が備える操作スイッチ、又は別体のリモコン操作機７２１１により行うことができる。又は、表示部７０００にタッチセンサを備えていてもよく、指等で表示部７０００に触れることで操作してもよい。リモコン操作機７２１１は、当該リモコン操作機７２１１から出力する情報を表示する表示部を有していてもよい。リモコン操作機７２１１が備える操作キー又はタッチパネルにより、チャンネル又は音量の操作を行うことができ、表示部７０００に表示される映像を操作することができる。
【０４５５】
なお、テレビジョン装置７２００は、受信機又はモデムなどを備えた構成とする。受信機により一般のテレビ放送の受信を行うことができる。また、モデムを介して有線又は無線による通信ネットワークに接続することにより、一方向（送信者から受信者）又は双方向（送信者と受信者間、あるいは受信者間同士など）の情報通信を行うことも可能である。
【０４５６】
図２７（Ｄ）に携帯情報端末の一例を示す。携帯情報端末７３００は、筐体７３０１及び表示部７０００を有する。さらに、操作ボタン、外部接続ポート、スピーカ、マイク、アンテナ、又はバッテリ等を有していてもよい。表示部７０００にはタッチセンサを備える。携帯情報端末７３００の操作は、指又はスタイラスなどで表示部７０００に触れることで行うことができる。
【０４５７】
図２７（Ｄ）は、携帯情報端末７３００の斜視図であり、図２７（Ｅ）は携帯情報端末７３００の上面図である。
【０４５８】
本実施の形態で例示する携帯情報端末は、例えば、電話機、手帳又は情報閲覧装置等から選ばれた一つ又は複数の機能を有する。具体的には、スマートフォンとしてそれぞれ用いることができる。本実施の形態で例示する携帯情報端末は、例えば、移動電話、電子メール、文章閲覧及び作成、音楽再生、インターネット通信、コンピュータゲームなどの種々のアプリケーションを実行することができる。
【０４５９】
携帯情報端末７３００は、文字又は画像をその複数の面に表示することができる。例えば、図２７（Ｄ）に示すように、３つの操作ボタン７３０２を一の面に表示し、矩形で示す情報７３０３を他の面に表示することができる。図２７（Ｄ）、（Ｅ）では、携帯情報端末の上側に情報が表示される例を示す。または、携帯情報端末の横側に情報が表示されてもよい。また、携帯情報端末の３面以上に情報を表示してもよい。
【０４６０】
なお、情報の例としては、ＳＮＳ（ソーシャル・ネットワーキング・サービス）の通知、電子メール又は電話などの着信を知らせる表示、電子メールなどの題名もしくは送信者名、日時、時刻、バッテリの残量、アンテナ受信の強度などがある。又は、情報が表示されている位置に、情報の代わりに、操作ボタン、アイコンなどを表示してもよい。
【０４６１】
例えば、携帯情報端末７３００の使用者は、洋服の胸ポケットに携帯情報端末７３００を収納した状態で、その表示（ここでは情報７３０３）を確認することができる。
【０４６２】
具体的には、着信した電話の発信者の電話番号又は氏名等を、携帯情報端末７３００の上方から観察できる位置に表示する。使用者は、携帯情報端末７３００をポケットから取り出すことなく、表示を確認し、電話を受けるか否かを判断できる。
【０４６３】
図２７（Ｆ）に、湾曲した発光部を有する照明装置の一例を示している。
【０４６４】
図２７（Ｆ）に示す照明装置が有する発光部は、本発明の一態様の表示システムを用いて作製される。
【０４６５】
図２７（Ｆ）に示す照明装置７４００は、波状の発光面を有する発光部７４０２を備える。したがってデザイン性の高い照明装置となっている。
【０４６６】
また、照明装置７４００の備える各々の発光部は可撓性を有していてもよい。発光部を可塑性の部材又は可動なフレームなどの部材で固定し、用途に合わせて発光部の発光面を自在に湾曲可能な構成としてもよい。
【０４６７】
照明装置７４００は、操作スイッチ７４０３を備える台部７４０１と、台部７４０１に支持される発光部を有する。
【０４６８】
なおここでは、台部によって発光部が支持された照明装置について例示したが、発光部を備える筐体を天井に固定する、又は天井からつり下げるように用いることもできる。発光面を湾曲させて用いることができるため、発光面を凹状に湾曲させて特定の領域を明るく照らす、又は発光面を凸状に湾曲させて部屋全体を明るく照らすこともできる。
【０４６９】
図２８（Ａ１）、（Ａ２）、（Ｂ）〜（Ｉ）に、可撓性を有する表示部７００１を有する携帯情報端末の一例を示す。
【０４７０】
表示部７００１は、本発明の一態様の表示システムを用いて作製される。例えば、曲率半径０．０１ｍｍ以上１５０ｍｍ以下で曲げることができる表示パネルを有する表示システムを適用できる。また、表示部７００１はタッチセンサを備えていてもよく、指等で表示部７００１に触れることで携帯情報端末を操作することができる。
【０４７１】
図２８（Ａ１）は、携帯情報端末の一例を示す斜視図であり、図２８（Ａ２）は、携帯情報端末の一例を示す側面図である。携帯情報端末７５００は、筐体７５０１、表示部７００１、引き出し部材７５０２、操作ボタン７５０３等を有する。
【０４７２】
携帯情報端末７５００は、筐体７５０１内にロール状に巻かれた可撓性を有する表示部７００１を有する。
【０４７３】
また、携帯情報端末７５００は内蔵された制御部によって映像信号を受信可能で、受信した映像を表示部７００１に表示することができる。また、携帯情報端末７５００にはバッテリが内蔵されている。また、筐体７５０１にコネクターを接続する端子部を備え、映像信号又は電力を有線により外部から直接供給する構成としてもよい。
【０４７４】
また、操作ボタン７５０３によって、電源のＯＮ、ＯＦＦ動作又は表示する映像の切り替え等を行うことができる。なお、図２８（Ａ１）、（Ａ２）、（Ｂ）では、携帯情報端末７５００の側面に操作ボタン７５０３を配置する例を示すが、これに限られず、携帯情報端末７５００の表示面と同じ面（おもて面）又は裏面に配置してもよい。
【０４７５】
図２８（Ｂ）には、表示部７００１を引き出した状態の携帯情報端末７５００を示す。この状態で表示部７００１に映像を表示することができる。表示部７００１は、引き出し部材７５０２を用いて引き出すことができる。また、表示部７００１の一部がロール状に巻かれた図２８（Ａ１）の状態と表示部７００１を引き出した図２８（Ｂ）の状態とで、携帯情報端末７５００が異なる表示を行う構成としてもよい。例えば、図２８（Ａ１）の状態のときに、表示部７００１のロール状に巻かれた部分を非表示とすることで、携帯情報端末７５００の消費電力を下げることができる。
【０４７６】
なお、表示部７００１を引き出した際に表示部７００１の表示面が平面状となるように固定するため、表示部７００１の側部に補強のためのフレームを設けていてもよい。
【０４７７】
なお、この構成以外に、筐体にスピーカを設け、映像信号と共に受信した音声信号によって音声を出力する構成としてもよい。
【０４７８】
図２８（Ｃ）〜（Ｅ）に、折りたたみ可能な携帯情報端末の一例を示す。図２８（Ｃ）では、展開した状態、図２８（Ｄ）では、展開した状態又は折りたたんだ状態の一方から他方に変化する途中の状態、図２８（Ｅ）では、折りたたんだ状態の携帯情報端末７６００を示す。携帯情報端末７６００は、折りたたんだ状態では可搬性に優れ、展開した状態では、継ぎ目のない広い表示領域により一覧性に優れる。
【０４７９】
表示部７００１はヒンジ７６０２によって連結された３つの筐体７６０１に支持されている。ヒンジ７６０２を介して２つの筐体７６０１間を屈曲させることにより、携帯情報端末７６００を展開した状態から折りたたんだ状態に可逆的に変形させることができる。
【０４８０】
図２８（Ｆ）、（Ｇ）に、折りたたみ可能な携帯情報端末の一例を示す。図２８（Ｆ）では、表示部７００１が内側になるように折りたたんだ状態、図２８（Ｇ）では、表示部７００１が外側になるように折りたたんだ状態の携帯情報端末７６５０を示す。携帯情報端末７６５０は表示部７００１及び非表示部７６５１を有する。携帯情報端末７６５０を使用しない際に、表示部７００１が内側になるように折りたたむことで、表示部７００１の汚れ又は傷つきを抑制できる。
【０４８１】
図２８（Ｈ）に、可撓性を有する携帯情報端末の一例を示す。携帯情報端末７７００は、筐体７７０１及び表示部７００１を有する。さらに、入力手段であるボタン７７０３ａ、７７０３ｂ、音声出力手段であるスピーカ７７０４ａ、７７０４ｂ、外部接続ポート７７０５、マイク７７０６等を有していてもよい。また、携帯情報端末７７００は、可撓性を有するバッテリ７７０９を搭載することができる。バッテリ７７０９は例えば表示部７００１と重ねて配置してもよい。
【０４８２】
筐体７７０１、表示部７００１、及びバッテリ７７０９は可撓性を有する。そのため、携帯情報端末７７００を所望の形状に湾曲させること、又は携帯情報端末７７００に捻りを加えることが容易である。例えば、携帯情報端末７７００は、表示部７００１が内側又は外側になるように折り曲げて使用することができる。又は、携帯情報端末７７００をロール状に巻いた状態で使用することもできる。このように、筐体７７０１及び表示部７００１を自由に変形することが可能であるため、携帯情報端末７７００は、落下した場合、又は意図しない外力が加わった場合であっても、破損しにくいという利点がある。
【０４８３】
また、携帯情報端末７７００は軽量であるため、筐体７７０１の上部をクリップ等で把持してぶら下げて使用する、又は、筐体７７０１を磁石等で壁面に固定して使用するなど、様々な状況において利便性良く使用することができる。
【０４８４】
図２８（Ｉ）に腕時計型の携帯情報端末の一例を示す。携帯情報端末７８００は、バンド７８０１、表示部７００１、入出力端子７８０２、操作ボタン７８０３等を有する。バンド７８０１は、筐体としての機能を有する。また、携帯情報端末７８００は、可撓性を有するバッテリ７８０５を搭載することができる。バッテリ７８０５は例えば表示部７００１又はバンド７８０１と重ねて配置してもよい。
【０４８５】
バンド７８０１、表示部７００１、及びバッテリ７８０５は可撓性を有する。そのため、携帯情報端末７８００を所望の形状に湾曲させることが容易である。
【０４８６】
操作ボタン７８０３は、時刻設定のほか、電源のオン、オフ動作、無線通信のオン、オフ動作、マナーモードの実行及び解除、省電力モードの実行及び解除など、様々な機能を持たせることができる。例えば、携帯情報端末７８００に組み込まれたオペレーティングシステムにより、操作ボタン７８０３の機能を自由に設定することもできる。
【０４８７】
また、表示部７００１に表示されたアイコン７８０４に指等で触れることで、アプリケーションを起動することができる。
【０４８８】
また、携帯情報端末７８００は、通信規格された近距離無線通信を実行することが可能である。例えば無線通信可能なヘッドセットと相互通信することによって、ハンズフリーで通話することもできる。
【０４８９】
また、携帯情報端末７８００は入出力端子７８０２を有していてもよい。入出力端子７８０２を有する場合、他の情報端末とコネクターを介して直接データのやりとりを行うことができる。また入出力端子７８０２を介して充電を行うこともできる。なお、本実施の形態で例示する携帯情報端末の充電動作は、入出力端子を介さずに非接触電力伝送により行ってもよい。
【０４９０】
本実施の形態は、他の実施の形態と適宜組み合わせることができる。
【符号の説明】
【０４９１】
１０    表示システム
１１    画像処理装置
１２    表示装置
１３    表示領域
１４    検出装置
１５    柱
１６    壁
２１    デコーダ回路
２２    信号分割部
２３ａ    コントローラ
２３ｂ    コントローラ
３０ａ    表示パネル
３０ｂ    表示パネル
３１ａ    駆動回路
３１ｂ    駆動回路
５１    演算部
５２    記憶部
９２ａ    領域
９２ｂ    領域
９２ｃ    領域
９２ｄ    領域
１００    表示パネル
１００ａ    表示パネル
１００ｂ    表示パネル
１００ｃ    表示パネル
１００ｄ    表示パネル
１０１    表示領域
１０１ａ    表示領域
１０１ｂ    表示領域
１０１ｃ    表示領域
１０１ｄ    表示領域
１０１ｅ    表示領域
１０１ｆ    表示領域
１０２    領域
１０２ａ    領域
１０２ｂ    領域
１０３    透光層
１０３ａ    透光層
１０３ｂ    透光層
１０５ａ    領域
１０５ｂ    領域
１０５ｃ    領域
１１０    領域
１１０ａ    領域
１１０ｂ    領域
１１０ｃ    領域
１１０ｄ    領域
１１２ａ    ＦＰＣ
１１２ｂ    ＦＰＣ
１２０    領域
１２０ａ    領域
１２０ｂ    領域
１２０ｃ    領域
１２３    ＦＰＣ
１３１    樹脂層
１３２    保護基板
１３３    樹脂層
１３４    保護基板
１４１    画素
１４１ａ    画素
１４１ｂ    画素
１４２ａ    配線
１４２ｂ    配線
１４３ａ    回路
１４３ｂ    回路
１４５    配線
１５１    基板
１５１ａ    基板
１５１ｂ    基板
１５２    基板
１５２ａ    基板
１５２ｂ    基板
１５３ａ    素子層
１５３ｂ    素子層
１５４    接着層
１５５ａ    領域
１５５ｂ    領域
１５６ａ    領域
１５６ｂ    領域
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１１    配線
３１９    端子
３２１    絶縁層
３２８    隔壁
３２９    スペーサ
３５０Ｒ    発光素子
３５１Ｒ    下部電極
３５２    上部電極
３５３    ＥＬ層
３５３ａ    ＥＬ層
３５３ｂ    ＥＬ層
３５４    中間層
３６０    接着層
３６７Ｂ    着色層
３６７ＢＭ    遮光層
３６７Ｇ    着色層
３６７ｐ    反射防止層
３６７Ｒ    着色層
３９０    タッチパネル
５００    表示部
５００ＴＰ    タッチパネル
５０１    表示部
５０３ｇ    駆動回路
５０３ｓ    駆動回路
５０５    タッチパネル
５０５Ｂ    タッチパネル
５０９    ＦＰＣ
５９０    基板
５９１    電極
５９２    電極
５９３    絶縁層
５９４    配線
５９５    タッチセンサ
５９７    接着層
５９８    配線
５９９    接続層
６００    入力部
６０２    検知ユニット
６０３ｄ    駆動回路
６０３ｇ    駆動回路
６５０    容量素子
６５１    電極
６５２    電極
６５３    絶縁層
６６７    窓部
６７０    保護層
７０１    基板
７０３    接着層
７０５    絶縁層
７１１    基板
７１３    接着層
７１５    絶縁層
８０４    発光部
８０６    駆動回路部
８０８    ＦＰＣ
８１４    導電層
８１５    絶縁層
８１７    絶縁層
８１７ａ    絶縁層
８１７ｂ    絶縁層
８２０    トランジスタ
８２１    絶縁層
８２２    接着層
８２３    スペーサ
８２４    トランジスタ
８２５    接続体
８３０    発光素子
８３１    下部電極
８３２    光学調整層
８３３    ＥＬ層
８３５    上部電極
８４５    着色層
８４７    遮光層
８４９    オーバーコート
８５６    導電層
８５７    導電層
８５７ａ    導電層
８５７ｂ    導電層
７０００    表示部
７００１    表示部
７１００    携帯電話機
７１０１    筐体
７１０３    操作ボタン
７１０４    外部接続ポート
７１０５    スピーカ
７１０６    マイク
７２００    テレビジョン装置
７２０１    筐体
７２０３    スタンド
７２１１    リモコン操作機
７３００    携帯情報端末
７３０１    筐体
７３０２    操作ボタン
７３０３    情報
７４００    照明装置
７４０１    台部
７４０２    発光部
７４０３    操作スイッチ
７５００    携帯情報端末
７５０１    筐体
７５０２    部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０１    バンド
７８０２    入出力端子
７８０３    操作ボタン
７８０４    アイコン
７８０５    バッテリ
【図１】
2016110116.tif 000003
【図２】
2016110116.tif 000004
【図３】
2016110116.tif 000005
【図４】
2016110116.tif 000006
【図５】
2016110116.tif 000007
【図６】
2016110116.tif 000008
【図７】
2016110116.tif 000009
【図８】
2016110116.tif 000010
【図９】
2016110116.tif 000011
【図１０】
2016110116.tif 000012
【図１１】
2016110116.tif 000013
【図１２】
2016110116.tif 000014
【図１３】
2016110116.tif 000015
【図１４】
2016110116.tif 000016
【図１５】
2016110116.tif 000017
【図１６】
2016110116.tif 000018
【図１７】
2016110116.tif 000019
【図１８】
2016110116.tif 000020
【図１９】
2016110116.tif 000021
【図２０】
2016110116.tif 000022
【図２１】
2016110116.tif 000023
【図２２】
2016110116.tif 000024
【図２３】
2016110116.tif 000025
【図２４】
2016110116.tif 000026
【図２５】
2016110116.tif 000027
【図２６】
2016110116.tif 000028
【図２７】
2016110116.tif 000029
【図２８】
2016110116.tif 000030